(57)【要約】  本発明の実施例は、ハイブリッド自動再送要求インジケータ情報を送信する方法及び装置に関する。本発明によるハイブリッド自動再送要求インジケータ情報を送信する方法は、エンハンスト物理ダウンリンク制御チャネル（ＥＰＤＣＣＨ）リソースをＵＥに割り当てるステップと、前記ＥＰＤＣＣＨリソースから一部のリソースを選択するステップと、前記一部のリソースを介し前記ＵＥにＨＡＲＱインジケータ情報を送信するステップとを有する。従って、基地局は、ＥＰＤＣＣＨリソースから選択された一部のリソースを介しＵＥにＨＡＲＱインジケータ情報を送信可能であり、ＵＥは、基地局により送信されるＨＡＲＱインジケータ情報を検出することによって、アップリンクにより送信されるデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
2016506127.tif 000002
【特許請求の範囲】
【請求項１】
ハイブリッド自動再送要求（ＨＡＲＱ）インジケータ情報を送信する方法であって、
エンハンスト物理ダウンリンク制御チャネル（ＥＰＤＣＣＨ）リソースをＵＥに割り当てるステップと、
前記ＥＰＤＣＣＨリソースから一部のリソースを選択するステップと、
前記一部のリソースを介し前記ＵＥにＨＡＲＱインジケータ情報を送信するステップと、
を有する方法。
【請求項２】
前記ＥＰＤＣＣＨリソースから一部のリソースを選択するステップは、
前記ＥＰＤＣＣＨリソースの物理リソースブロック（ＰＲＢ）ペアから前記一部のリソースを選択するステップを含む、請求項１記載の方法。
【請求項３】
前記一部のリソースを介し前記ＵＥにＨＡＲＱインジケータ情報を送信するステップは、
前記一部のリソースを少なくとも２つの部分に分割するステップであって、各部分に含まれるリソースエレメント（ＲＥ）の個数は等しく、かつ２以上である、分割するステップと、
各部分に含まれるＲＥの個数に従って対応するビットシーケンスによって前記ＨＡＲＱインジケータ情報を拡散するステップと、
各部分における前記ＲＥに前記シーケンスにより拡散されるＨＡＲＱインジケータ情報を繰り返し設定するステップと、
前記一部のリソースを前記ＵＥに送信するステップと、
を含む、請求項１又は２記載の方法。
【請求項４】
前記一部のリソースを少なくとも２つの部分に分割するステップは、
要求されるＨＡＲＱチャネルキャパシティに従って、前記一部のリソースを前記少なくとも２つの部分に分割するステップであって、各部分に含まれるＲＥの個数に対応する拡散されるシーケンスの個数は前記要求されるＨＡＲＱチャネルキャパシティに一致する、分割するステップを含む、請求項３記載の方法。
【請求項５】
前記ＥＰＤＣＣＨリソースから一部のリソースを選択するステップは、
前記ＥＰＤＣＣＨリソースの少なくとも２つのＰＲＢペアから前記一部のリソースを選択するステップを含む、請求項１記載の方法。
【請求項６】
前記一部のリソースを介し前記ＵＥにＨＡＲＱインジケータ情報を送信するステップは、
前記一部のリソースを少なくとも１つのグループにグループ化し、各グループを少なくとも２つの部分に分割するステップであって、各グループは前記少なくとも２つのＰＲＢペアにおいてＲＥを含み、各部分に含まれるＲＥの個数は等しく、かつ２以上であり、各部分に含まれるＲＥの個数に対応する拡散されるシーケンスの個数とグループの個数との積は、前記少なくとも２つのＰＲＢペアに含まれるＥＣＣＥの個数と２とを乗算することによって取得される値に等しい、分割するステップと、
各部分に含まれるＲＥの個数に従って対応するビットシーケンスによって前記ＨＡＲＱインジケータ情報を拡散するステップと、
１つのグループの各部分における前記ＲＥに前記シーケンスにより拡散されるＨＡＲＱインジケータ情報を繰り返し設定するステップと、
前記一部のリソースを前記ＵＥに送信するステップと、
を含む、請求項５記載の方法。
【請求項７】
前記一部のリソースを前記ＵＥに送信するステップの前に、
前記１つのグループの部分について、前記部分があるＰＲＢペアにおける復調リファレンス信号（ＤＭＲＳ）を、前記部分に設定される前記シーケンスにより拡散されるＨＡＲＱインジケータ情報と関連付けるステップを更に有する、請求項６記載の方法。
【請求項８】
各ＰＲＢペアは、前記１つのグループにおいて前記少なくとも２つの部分を有し、
前記部分があるＰＲＢペアにおけるＤＭＲＳを、前記部分に設定される前記シーケンスにより拡散されるＨＡＲＱインジケータ情報と関連付けるステップは、
１つのＰＲＢペアの前記１つのグループにおける前記少なくとも２つの部分について、前記ＰＲＢペアにおける少なくとも２つのＤＭＲＳを、前記少なくとも２つの部分に設定される前記シーケンスにより拡散されるＨＡＲＱインジケータ情報と関連付けるステップを含む、請求項７記載の方法。
【請求項９】
前記少なくとも２つのＰＲＢペアは、前記ＵＥに対して設定される１つのＥＰＤＣＣＨ  ＰＲＢセットに配置されるか、又は前記ＵＥに対して設定される異なるＥＰＤＣＣＨ  ＰＲＢセットに配置される、請求項５乃至８何れか一項記載の方法。
【請求項１０】
前記ＥＰＤＣＣＨリソースから一部のリソースを選択するステップは、
前記ＥＰＤＣＣＨリソースの１つのＰＲＢペアから前記一部のリソースを選択するステップを含み、
前記一部のリソースに含まれるＲＥの個数に対応する拡散されるシーケンスの個数は、前記１つのＰＲＢペアに含まれるＥＣＣＥの個数と２とを乗算することによって取得される値に等しい、請求項１記載の方法。
【請求項１１】
前記一部のリソースを介し前記ＵＥにＨＡＲＱインジケータ情報を送信するステップは、
前記一部のリソースを少なくとも１つの部分に分割するステップであって、各部分に含まれるＲＥの個数は等しく、かつ２以上であり、各部分に含まれるＲＥの個数に対応する拡散されるシーケンスの個数は、前記１つのＰＲＢペアに含まれるＥＣＣＥの個数と２とを乗算することによって取得される値に等しい、分割するステップと、
各部分に含まれるＲＥの個数に従って対応するビットシーケンスによって前記ＨＡＲＱインジケータ情報を拡散するステップと、
各部分における前記ＲＥに前記シーケンスにより拡散されるＨＡＲＱインジケータ情報を繰り返し設定するステップと、
前記一部のリソースを前記ＵＥに送信するステップと、
を含む、請求項１０記載の方法。
【請求項１２】
前記一部のリソースを前記ＵＥに送信するステップの前に、
前記１つのＰＲＢペアにおける１つのＤＭＲＳを前記シーケンスにより拡散されるＨＡＲＱインジケータ情報と関連付けるステップを更に有する、請求項１１記載の方法。
【請求項１３】
ハイブリッド自動再送要求（ＨＡＲＱ）インジケータ情報を送信する方法であって、
エンハンスト物理ダウンリンク制御チャネル（ＥＰＤＣＣＨ）リソースを受信するステップと、
前記ＥＰＤＣＣＨリソースから一部のリソースを選択するステップと、
前記一部のリソースからＨＡＲＱインジケータ情報を抽出するステップと、
を有する方法。
【請求項１４】
前記ＥＰＤＣＣＨリソースから一部のリソースを選択するステップは、前記ＥＰＤＣＣＨリソースから少なくとも２つの部分を選択するステップであって、各部分に含まれるリソースエレメント（ＲＥ）の個数は等しく、かつ２以上である、選択するステップを含み、
前記一部のリソースからＨＡＲＱインジケータ情報を抽出するステップは、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するソフト情報を合成した後、前記ＨＡＲＱインジケータ情報を取得するために各部分に含まれるＲＥの個数に従ってシーケンス逆拡散を実行するステップ、又は、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、前記ＨＡＲＱインジケータ情報を取得するために各部分に関する前記シーケンス逆拡散されたソフト情報を合成するステップを含む、請求項１３記載の方法。
【請求項１５】
前記少なくとも２つの部分における各部分に対応する復調リファレンス信号（ＤＭＲＳ）に従ってチャネル推定を実行する前に、
各部分が属するＰＲＢペアから各部分に対応する前記ＤＭＲＳを抽出するステップを更に有する、請求項１４記載の方法。
【請求項１６】
前記ＥＰＤＣＣＨリソースから少なくとも２つの部分を選択するステップは、
前記ＥＰＤＣＣＨリソースの少なくとも２つの物理リソースブロック（ＰＲＢ）ペアから前記少なくとも２つの部分を選択するステップであって、前記少なくとも２つの部分は前記２つのＰＲＢペアにおいてＲＥを有する、選択するステップを含む、請求項１４又は１５記載の方法。
【請求項１７】
前記ＥＰＤＣＣＨリソースから少なくとも２つの部分を選択するステップは、
前記ＥＰＤＣＣＨリソースの１つのＰＲＢペアから前記少なくとも２つの部分を選択するステップを含む、請求項１４又は１５記載の方法。
【請求項１８】
ハイブリッド自動再送要求（ＨＡＲＱ）インジケータ情報を送信する装置であって、
エンハンスト物理ダウンリンク制御チャネル（ＥＰＤＣＣＨ）リソースをＵＥに割り当てるよう構成されるＥＰＤＣＣＨリソース割当モジュールと、
前記ＥＰＤＣＣＨリソースから一部のリソースを選択するよう構成される部分リソース選択モジュールと、
前記一部のリソースを介し前記ＵＥにＨＡＲＱインジケータ情報を送信するよう構成されるインジケータ情報送信モジュールと、
を有する装置。
【請求項１９】
前記部分リソース選択モジュールは、前記ＥＰＤＣＣＨリソースの物理リソースブロック（ＰＲＢ）ペアから前記一部のリソースを選択するよう具体的に構成される、請求項１８記載の装置。
【請求項２０】
前記インジケータ情報送信モジュールは、
前記一部のリソースを少なくとも２つの部分に分割するよう構成される第１部分分割ユニットであって、各部分に含まれるリソースエレメント（ＲＥ）の個数は等しく、かつ２以上である、第１部分分割ユニットと、
各部分に含まれるＲＥの個数に従って対応するビットシーケンスによって前記ＨＡＲＱインジケータ情報を拡散するよう構成される第１シーケンス拡散ユニットと、
各部分における前記ＲＥに前記シーケンスにより拡散されるＨＡＲＱインジケータ情報を繰り返し設定するよう構成される第１情報繰り返し設定ユニットと、
前記一部のリソースを前記ＵＥに送信するよう構成される第１部分リソース送信ユニットと、
を含む、請求項１８又は１９記載の装置。
【請求項２１】
前記第１部分分割ユニットは、要求されるＨＡＲＱチャネルキャパシティに従って前記一部のリソースを前記少なくとも２つの部分に分割するよう具体的に構成され、
各部分に含まれるＲＥの個数に対応する拡散されるシーケンスの個数は、前記要求されるＨＡＲＱチャネルキャパシティに一致する、請求項２０記載の装置。
【請求項２２】
前記部分リソース選択モジュールは、前記ＥＰＤＣＣＨリソースの少なくとも２つのＰＲＢペアから前記一部のリソースを選択するよう具体的に構成される、請求項１８記載の装置。
【請求項２３】
前記インジケータ情報送信モジュールは、
前記一部のリソースを少なくとも１つのグループにグループ化し、各グループを少なくとも２つの部分に分割するよう構成される第２部分分割ユニットであって、各グループは前記少なくとも２つのＰＲＢペアにおいてＲＥを有し、各部分に含まれるＲＥの個数に対応する拡散されるシーケンスの個数とグループの個数との積は、前記少なくとも２つのＰＲＢペアに含まれるＥＣＣＥの個数と２とを乗算することによって取得される値に等しい、第２部分分割ユニットと、
各部分に含まれるＲＥの個数に従って対応するビットシーケンスによって前記ＨＡＲＱインジケータ情報を拡散するよう構成される第２シーケンス拡散ユニットと、
１つのグループの各部分における前記ＲＥに前記シーケンスにより拡散されるＨＡＲＱインジケータ情報を繰り返し設定するよう構成される第２情報繰り返し設定ユニットと、
前記一部のリソースを前記ＵＥに送信するよう構成される第２部分リソース送信ユニットと、
を含む、請求項２２記載の装置。
【請求項２４】
前記第２部分リソース送信ユニットが前記一部のリソースを前記ＵＥに送信する前に、前記１つのグループにおける部分について、前記部分があるＰＲＢペアにおける復調リファレンス信号（ＤＭＲＳ）を、前記部分に設定される前記シーケンスにより拡散されるＨＡＲＱインジケータ情報と関連付けるよう構成される第１インジケータ情報関連付けモジュールを更に有する、請求項２３記載の装置。
【請求項２５】
各ＰＲＢペアは、前記１つのグループにおいて前記少なくとも２つの部分を有し、
前記第１インジケータ情報関連付けモジュールは、１つのＰＲＢペアの前記１つのグループにおける前記少なくとも２つの部分について、前記ＰＲＢペアにおける少なくとも２つのＤＭＲＳを、前記少なくとも２つの部分に設定される前記シーケンスにより拡散されるＨＡＲＱインジケータ情報と関連付けるよう具体的に構成される、請求項２４記載の装置。
【請求項２６】
前記少なくとも２つのＰＲＢペアは、前記ＵＥに対して設定される１つのＥＰＤＣＣＨ  ＰＲＢセットに配置されるか、又は前記ＵＥに対して設定される異なるＥＰＤＣＣＨ  ＰＲＢセットに配置される、請求項２２乃至２５何れか一項記載の装置。
【請求項２７】
前記部分リソース選択モジュールは、前記ＥＰＤＣＣＨリソースの１つのＰＲＢペアから前記一部のリソースを選択するよう具体的に構成される、請求項１８記載の装置。
【請求項２８】
前記インジケータ情報送信モジュールは、
前記一部のリソースを少なくとも１つの部分に分割するよう構成される第３部分分割ユニットであって、各部分に含まれるＲＥの個数は等しく、かつ２以上であり、各部分に含まれるＲＥの個数に対応する拡散されるシーケンスの個数は、前記１つのＰＲＢペアに含まれるＥＣＣＥの個数と２とを乗算することによって取得される値に等しい、第３部分分割ユニットと、
各部分に含まれるＲＥの個数に従って対応するビットシーケンスによって前記ＨＡＲＱインジケータ情報を拡散するよう構成される第３シーケンス拡散ユニットと、
各部分における前記ＲＥに前記シーケンスにより拡散されるＨＡＲＱインジケータ情報を繰り返し設定するよう構成される第３情報繰り返し設定ユニットと、
前記一部のリソースを前記ＵＥに送信するよう構成される第３部分リソース送信ユニットと、
を含む、請求項２７記載の装置。
【請求項２９】
前記第３部分リソース送信ユニットが前記一部のリソースを前記ＵＥに送信する前に、前記１つのＰＲＢペアにおける１つのＤＭＲＳを前記シーケンスにより拡散されるＨＡＲＱインジケータ情報と関連付けるよう構成される第２インジケータ情報関連付けモジュールを更に有する、請求項２８記載の装置。
【請求項３０】
ハイブリッド自動再送要求（ＨＡＲＱ）インジケータ情報を送信する装置であって、
エンハンスト物理ダウンリンク制御チャネル（ＥＰＤＣＣＨ）リソースを受信するよう構成されるＥＰＤＣＣＨリソース受信モジュールと、
前記ＥＰＤＣＣＨリソースから一部のリソースを選択するよう構成される部分リソース選択モジュールと、
前記一部のリソースからＨＡＲＱインジケータ情報を抽出するよう構成されるインジケータ情報抽出モジュールと、
を有する装置。
【請求項３１】
前記部分リソース選択モジュールは、前記ＥＰＤＣＣＨリソースから少なくとも２つの部分を選択するよう具体的に構成され、各部分に含まれるリソースエレメント（ＲＥ）の個数は等しく、かつ２以上であり、
前記インジケータ情報抽出モジュールは、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関する前記ソフト情報を合成した後、前記ＨＡＲＱインジケータ情報を取得するために各部分に含まれるＲＥの個数に従ってシーケンス逆拡散を実行するか、又は、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、前記ＨＡＲＱインジケータ情報を取得するために各部分に関する前記シーケンス逆拡散されたソフト情報を合成するよう具体的に構成される、請求項３０記載の装置。
【請求項３２】
前記インジケータ情報抽出モジュールが前記少なくとも２つの部分における各部分に対応する前記復調リファレンス信号（ＤＭＲＳ）に従ってチャネル推定を実行する前に、各部分が属するＰＲＢペアから各部分に対応する前記ＤＭＲＳを抽出するよう構成されるＤＭＲＳ抽出モジュールを更に有する、請求項３１記載の装置。
【請求項３３】
前記部分リソース選択モジュールは、前記ＥＰＤＣＣＨリソースの少なくとも２つの物理リソースブロック（ＰＲＢ）ペアから前記少なくとも２つの部分を選択するよう具体的に構成され、
前記少なくとも２つの部分は、前記２つのＰＲＢペアにおいてＲＥを有する、請求項３１又は３２記載の装置。
【請求項３４】
前記部分リソース選択モジュールは、前記ＥＰＤＣＣＨリソースの１つのＰＲＢペアから前記少なくとも２つの部分を選択するよう具体的に構成される、請求項３１又は３２記載の装置。
【発明の詳細な説明】
【技術分野】
【０００１】
本発明の実施例は、通信技術の分野に関し、特にハイブリッド自動再送要求（ＨＡＲＱ）インジケータ情報を送信する方法及び装置に関する。
【背景技術】
【０００２】
一般的な移動通信システムでは、基地局は、スケジューリングシグナリングを送信することによって、ＵＥのアップリンクデータ送信を制御する。チャネルフェージングのため、基地局は、ＵＥにより送信されたアップリンクデータを正しく復号化できないかもしれない。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）のリリース８〜１１のＬＴＥ（Ｌｏｎｇ  Ｔｅｒｍ  Ｅｖｏｌｕｔｉｏｎ）システムは、アップリンクデータの物理ハイブリッド自動再送要求（Ｈｙｂｒｉｄ  Ａｕｔｏｍａｔｉｃ  Ｒｅｐｅａｔ  Ｒｅｑｕｅｓｔ、略してＨＡＲＱ）インジケータチャネルにおけるＨＡＲＱインジケータ情報を利用して、基地局がＵＥにより送信されたアップリンクデータを正しく復号化しているか通知する。しかしながら、リリース８〜１１のＬＴＥシステムでは、ＵＥは、共通リファレンス信号（Ｃｏｍｍｏｎ  Ｒｅｆｅｒｅｎｃｅ  Ｓｉｇｎａｌ、略してＣＲＳ）をリファレンス信号として利用して、物理ＨＡＲＱインジケータチャネルにおけるインジケータ情報を復調する必要があり、インジケータ情報に従ってアップリンクにおいて送信されたデータが正しく復号化されているか判断し、これにより、基地局が正しく復号化できていないデータを再送するか判断する。
【０００４】
ＬＴＥシステムの進化によって、リリース１２のＬＴＥシステムでは、ＣＲＳはもはやそれの固有の欠点のため復調には利用されない。リリース１２のＬＴＥシステムでは、リリース８〜１１のＬＴＥシステムにおける物理ＨＡＲＱインジケータチャネルの代わりに、ＵＥに固有の復調リファレンス信号（Ｄｅｍｏｄｕｌａｔｉｏｎ  Ｒｅｆｅｒｅｎｃｅ  Ｓｉｇｎａｌ、略してＤＭＲＳ）が、システムにおいて送信されるダウンリンクデータの復調用に利用される。従って、基地局は、アップリンクにおいてＵＥにより送信されたデータが正しいかＨＡＲＱインジケータチャネルを介し通知することはできず、ＵＥは、アップリンクにおいて送信されたデータが基地局によって正しく復号化されているか確実には判断することはできない。基地局が受信したアップリンクデータを正しく復号化することができないとき、基地局は、当該基地局が正しく復号化できないデータをＵＥに再送するよう指示するために新たなスケジューリングシグナリングを再送する必要があり、システムの制御チャネルのシグナリングロードを増加させる。
【発明の概要】
【０００５】
本発明の実施例は、ＵＥが、基地局により送信されたＨＡＲＱインジケータ情報を検出することによって、アップリンクにおいて送信されたデータが基地局によって正しく復号化されているか判断し、これにより、新たなデータを送信するか、又は以前のデータを再送するか判断でき、これにより、システムの制御チャネルのシグナリングロードを低減するＨＡＲＱインジケータ情報を送信する方法及び装置を提供する。
【０００６】
第１の態様では、本発明の実施例は、ハイブリッド自動再送要求（ＨＡＲＱ）インジケータ情報を送信する方法であって、
エンハンスト物理ダウンリンク制御チャネル（ＥＰＤＣＣＨ）リソースをＵＥに割り当てるステップと、
前記ＥＰＤＣＣＨリソースから一部のリソースを選択するステップと、
前記一部のリソースを介し前記ＵＥにＨＡＲＱインジケータ情報を送信するステップと、
を有する方法を提供する。
【０００７】
第１の態様の第１の可能な実現方式では、前記ＥＰＤＣＣＨリソースから一部のリソースを選択するステップは、
前記ＥＰＤＣＣＨリソースの物理リソースブロック（ＰＲＢ）ペアから前記一部のリソースを選択するステップを含む。
【０００８】
第１の態様又は第１の態様の第１の可能な実現方式によると、第２の可能な実現方式では、前記一部のリソースを介し前記ＵＥにＨＡＲＱインジケータ情報を送信するステップは、
前記一部のリソースを少なくとも２つの部分に分割するステップであって、各部分に含まれるリソースエレメント（ＲＥ）の個数は等しく、かつ２以上である、分割するステップと、
各部分に含まれるＲＥの個数に従って対応するビットシーケンスによって前記ＨＡＲＱインジケータ情報を拡散するステップと、
各部分における前記ＲＥに前記シーケンスにより拡散されるＨＡＲＱインジケータ情報を繰り返し設定するステップと、
前記一部のリソースを前記ＵＥに送信するステップと、
を含む。
【０００９】
第１の態様の第２の可能な実現方式によると、第３の可能な実現方式では、前記一部のリソースを少なくとも２つの部分に分割するステップは、
要求されるＨＡＲＱチャネルキャパシティに従って、前記一部のリソースを前記少なくとも２つの部分に分割するステップであって、各部分に含まれるＲＥの個数に対応する拡散されるシーケンスの個数は前記要求されるＨＡＲＱチャネルキャパシティに一致する、分割するステップを含む。
【００１０】
第１の態様によると、第４の可能な実現方式では、前記ＥＰＤＣＣＨリソースから一部のリソースを選択するステップは、
前記ＥＰＤＣＣＨリソースの少なくとも２つのＰＲＢペアから前記一部のリソースを選択するステップを含む。
【００１１】
第１の態様の第４の可能な実現方式によると、第５の可能な実現方式では、前記一部のリソースを介し前記ＵＥにＨＡＲＱインジケータ情報を送信するステップは、
前記一部のリソースを少なくとも１つのグループにグループ化し、各グループを少なくとも２つの部分に分割するステップであって、各グループは前記少なくとも２つのＰＲＢペアにおいてＲＥを含み、各部分に含まれるＲＥの個数は等しく、かつ２以上であり、各部分に含まれるＲＥの個数に対応する拡散されるシーケンスの個数とグループの個数との積は、前記少なくとも２つのＰＲＢペアに含まれるＥＣＣＥの個数に等しい、分割するステップと、
各部分に含まれるＲＥの個数に従って対応するビットシーケンスによって前記ＨＡＲＱインジケータ情報を拡散するステップと、
１つのグループの各部分における前記ＲＥに前記シーケンスにより拡散されるＨＡＲＱインジケータ情報を繰り返し設定するステップと、
前記一部のリソースを前記ＵＥに送信するステップと、
を含む。
【００１２】
第１の態様の第５の可能な実現方式によると、第６の可能な実現方式では、前記一部のリソースを前記ＵＥに送信するステップの前に、当該方法は、
前記１つのグループの部分について、前記部分があるＰＲＢペアにおける復調リファレンス信号（ＤＭＲＳ）を、前記部分に設定される前記シーケンスにより拡散されるＨＡＲＱインジケータ情報と関連付けるステップを更に有する。
【００１３】
第１の態様の第６の可能な実現方式によると、第７の可能な実現方式では、各ＰＲＢペアは、前記１つのグループにおいて前記少なくとも２つの部分を有し、
前記部分があるＰＲＢペアにおけるＤＭＲＳを、前記部分に設定される前記シーケンスにより拡散されるＨＡＲＱインジケータ情報と関連付けるステップは、
１つのＰＲＢペアの前記１つのグループにおける前記少なくとも２つの部分について、前記ＰＲＢペアにおける少なくとも２つのＤＭＲＳを、前記少なくとも２つの部分に設定される前記シーケンスにより拡散されるＨＡＲＱインジケータ情報と関連付けるステップを含む。
【００１４】
第１の態様の第４〜７の可能な実現方式の何れかによると、第８の可能な実現方式では、前記少なくとも２つのＰＲＢペアは、前記ＵＥに対して設定される１つのＥＰＤＣＣＨ  ＰＲＢセットに配置されるか、又は前記ＵＥに対して設定される異なるＥＰＤＣＣＨ  ＰＲＢセットに配置される。
【００１５】
第１の態様によると、第９の可能な実現方式では、前記ＥＰＤＣＣＨリソースから一部のリソースを選択するステップは、
前記ＥＰＤＣＣＨリソースの１つのＰＲＢペアから前記一部のリソースを選択するステップを含み、
前記一部のリソースに含まれるＲＥの個数に対応する拡散されるシーケンスの個数は、前記１つのＰＲＢペアに含まれるＥＣＣＥの個数と２とを乗算することによって取得される値に等しい。
【００１６】
第１の態様の第９の可能な実現方式によると、第１０の可能な実現方式では、前記一部のリソースを介し前記ＵＥにＨＡＲＱインジケータ情報を送信するステップは、
前記一部のリソースを少なくとも１つの部分に分割するステップであって、各部分に含まれるＲＥの個数は等しく、かつ２以上であり、各部分に含まれるＲＥの個数に対応する拡散されるシーケンスの個数は、前記１つのＰＲＢペアに含まれるＥＣＣＥの個数と２とを乗算することによって取得される値に等しい、分割するステップと、
各部分に含まれるＲＥの個数に従って対応するビットシーケンスによって前記ＨＡＲＱインジケータ情報を拡散するステップと、
各部分における前記ＲＥに前記シーケンスにより拡散されるＨＡＲＱインジケータ情報を繰り返し設定するステップと、
前記一部のリソースを前記ＵＥに送信するステップと、
を含む。
【００１７】
第１の態様の第１０の可能な実現方式によると、第１１の可能な実現方式では、前記一部のリソースを前記ＵＥに送信するステップの前に、当該方法は、
前記１つのＰＲＢペアにおける１つのＤＭＲＳ信号を前記シーケンスにより拡散されるＨＡＲＱインジケータ情報と関連付けるステップを更に有する。
【００１８】
第２の態様では、本発明の実施例は、ハイブリッド自動再送要求（ＨＡＲＱ）インジケータ情報を送信する方法であって、
エンハンスト物理ダウンリンク制御チャネル（ＥＰＤＣＣＨ）リソースを受信するステップと、
前記ＥＰＤＣＣＨリソースから一部のリソースを選択するステップと、
前記一部のリソースからＨＡＲＱインジケータ情報を抽出するステップと、
を有する方法を提供する。
【００１９】
第２の態様の第１の可能な実現方式では、前記ＥＰＤＣＣＨリソースから一部のリソースを選択するステップは、
前記ＥＰＤＣＣＨリソースから少なくとも２つの部分を選択するステップであって、各部分に含まれるリソースエレメント（ＲＥ）の個数は等しく、かつ２以上である、選択するステップを含み、
前記一部のリソースからＨＡＲＱインジケータ情報を抽出するステップは、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するソフト情報を合成した後、前記ＨＡＲＱインジケータ情報を取得するために各部分に含まれるＲＥの個数に従ってシーケンス逆拡散を実行するステップ、又は、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、前記ＨＡＲＱインジケータ情報を取得するために各部分に関する前記シーケンス逆拡散されたソフト情報を合成するステップを含む。
【００２０】
第２の態様の第１の可能な実現方式によると、第２の可能な実現方式では、前記少なくとも２つの部分における各部分に対応する復調リファレンス信号（ＤＭＲＳ）に従ってチャネル推定を実行する前に、当該方法は、
各部分が属するＰＲＢペアから各部分に対応する前記ＤＭＲＳを抽出するステップを更に有する。
【００２１】
第２の態様の第１又は第２の可能な実現方式によると、第３の可能な実現方式では、前記ＥＰＤＣＣＨリソースから少なくとも２つの部分を選択するステップは、
前記ＥＰＤＣＣＨリソースの少なくとも２つの物理リソースブロック（ＰＲＢ）ペアから前記少なくとも２つの部分を選択するステップであって、前記少なくとも２つの部分は前記２つのＰＲＢペアにおいてＲＥを有する、選択するステップを含む。
【００２２】
第２の態様の第１又は第２の可能な実現方式によると、第４の可能な実現方式では、前記ＥＰＤＣＣＨリソースから少なくとも２つの部分を選択するステップは、
前記ＥＰＤＣＣＨリソースの１つのＰＲＢペアから前記少なくとも２つの部分を選択するステップを含む。
【００２３】
第３の態様では、本発明の実施例は、ハイブリッド自動再送要求（ＨＡＲＱ）インジケータ情報を送信する装置であって、
エンハンスト物理ダウンリンク制御チャネル（ＥＰＤＣＣＨ）リソースをＵＥに割り当てるよう構成されるＥＰＤＣＣＨリソース割当モジュールと、
前記ＥＰＤＣＣＨリソースから一部のリソースを選択するよう構成される部分リソース選択モジュールと、
前記一部のリソースを介し前記ＵＥにＨＡＲＱインジケータ情報を送信するよう構成されるインジケータ情報送信モジュールと、
を有する装置を提供する。
【００２４】
第２の態様の第１の可能な実現方式では、前記部分リソース選択モジュールは、前記ＥＰＤＣＣＨリソースの物理リソースブロック（ＰＲＢ）ペアから前記一部のリソースを選択するよう具体的に構成される。
【００２５】
第３の態様又は第３の態様の第１の可能な実現方式によると、第２の可能な実現方式では、前記インジケータ情報送信モジュールは、
前記一部のリソースを少なくとも２つの部分に分割するよう構成される第１部分分割ユニットであって、各部分に含まれるリソースエレメント（ＲＥ）の個数は等しく、かつ２以上である、第１部分分割ユニットと、
各部分に含まれるＲＥの個数に従って対応するビットシーケンスによって前記ＨＡＲＱインジケータ情報を拡散するよう構成される第１シーケンス拡散ユニットと、
各部分における前記ＲＥに前記シーケンスにより拡散されるＨＡＲＱインジケータ情報を繰り返し設定するよう構成される第１情報繰り返し設定ユニットと、
前記一部のリソースを前記ＵＥに送信するよう構成される第１部分リソース送信ユニットと、
を含む。
【００２６】
第３の態様の第２の可能な実現方式によると、第３の可能な実現方式では、前記部分分割ユニットは、要求されるＨＡＲＱチャネルキャパシティに従って前記一部のリソースを前記少なくとも２つの部分に分割するよう具体的に構成され、各部分に含まれるＲＥの個数に対応する拡散されるシーケンスの個数は、前記要求されるＨＡＲＱチャネルキャパシティに一致する。
【００２７】
第３の態様によると、第４の可能な実現方式では、前記部分リソース選択モジュールは、前記ＥＰＤＣＣＨリソースの少なくとも２つのＰＲＢペアから前記一部のリソースを選択するよう具体的に構成される。
【００２８】
第３の態様の第４の可能な実現方式によると、第５の可能な実現方式では、前記インジケータ情報送信モジュールは、
前記一部のリソースを少なくとも１つのグループにグループ化し、各グループを少なくとも２つの部分に分割するよう構成される第２部分分割ユニットであって、各グループは前記少なくとも２つのＰＲＢペアにおいてＲＥを有し、各部分に含まれるＲＥの個数に対応する拡散されるシーケンスの個数とグループの個数との積は、前記少なくとも２つのＰＲＢペアに含まれるＥＣＣＥの個数と２とを乗算することによって取得される値に等しい、第２部分分割ユニットと、
各部分に含まれるＲＥの個数に従って対応するビットシーケンスによって前記ＨＡＲＱインジケータ情報を拡散するよう構成される第２シーケンス拡散ユニットと、
１つのグループの各部分における前記ＲＥに前記シーケンスにより拡散されるＨＡＲＱインジケータ情報を繰り返し設定するよう構成される第２情報繰り返し設定ユニットと、
前記一部のリソースを前記ＵＥに送信するよう構成される第２部分リソース送信ユニットと、
を含む。
【００２９】
第３の態様の第５の可能な実現方式によると、第６の可能な実現方式では、当該装置は、
前記第２部分リソース送信ユニットが前記一部のリソースを前記ＵＥに送信する前に、前記１つのグループにおける部分について、前記部分があるＰＲＢペアにおける復調リファレンス信号（ＤＭＲＳ）を、前記部分に設定される前記シーケンスにより拡散されるＨＡＲＱインジケータ情報と関連付けるよう構成される第１インジケータ情報関連付けモジュールを更に有する。
【００３０】
第３の態様の第６の可能な実現方式によると、第７の可能な実現方式では、各ＰＲＢペアは、前記１つのグループにおいて前記少なくとも２つの部分を有し、前記第１インジケータ情報関連付けモジュールは、１つのＰＲＢペアの前記１つのグループにおける前記少なくとも２つの部分について、前記ＰＲＢペアにおける少なくとも２つのＤＭＲＳ信号を、前記少なくとも２つの部分に設定される前記シーケンスにより拡散されるＨＡＲＱインジケータ情報と関連付けるよう具体的に構成される。
【００３１】
第３の態様の第４〜７の可能な実現方式の何れか１つによると、第８の可能な実現方式では、前記少なくとも２つのＰＲＢペアは、前記ＵＥに対して設定される１つのＥＰＤＣＣＨ  ＰＲＢセットに配置されるか、又は前記ＵＥに対して設定される異なるＥＰＤＣＣＨ  ＰＲＢセットに配置される。
【００３２】
第３の態様によると、第９の可能な実現方式では、前記部分リソース選択モジュールは、前記ＥＰＤＣＣＨリソースの１つのＰＲＢペアから前記一部のリソースを選択するよう具体的に構成される。
【００３３】
第３の態様の第９の可能な実現方式によると、第１０の可能な実現方式では、前記インジケータ情報送信モジュールは、
前記一部のリソースを少なくとも１つの部分に分割するよう構成される第３部分分割ユニットであって、各部分に含まれるＲＥの個数は等しく、かつ２以上であり、各部分に含まれるＲＥの個数に対応する拡散されるシーケンスの個数は、前記１つのＰＲＢペアに含まれるＥＣＣＥの個数と２とを乗算することによって取得される値に等しい、第３部分分割ユニットと、
各部分に含まれるＲＥの個数に従って対応するビットシーケンスによって前記ＨＡＲＱインジケータ情報を拡散するよう構成される第３シーケンス拡散ユニットと、
各部分における前記ＲＥに前記シーケンスにより拡散されるＨＡＲＱインジケータ情報を繰り返し設定するよう構成される第３情報繰り返し設定ユニットと、
前記一部のリソースを前記ＵＥに送信するよう構成される第３部分リソース送信ユニットと、
を含む。
【００３４】
第３の態様の第１０の可能な実現方式によると、第１１の可能な実現方式では、当該装置は、
前記第３部分リソース送信ユニットが前記一部のリソースを前記ＵＥに送信する前に、前記１つのＰＲＢペアにおける１つのＤＭＲＳを前記シーケンスにより拡散されるＨＡＲＱインジケータ情報と関連付けるよう構成される第２インジケータ情報関連付けモジュールを更に有する。
【００３５】
第４の態様では、本発明の実施例は、ハイブリッド自動再送要求（ＨＡＲＱ）インジケータ情報を送信する装置であって、
エンハンスト物理ダウンリンク制御チャネル（ＥＰＤＣＣＨ）リソースを受信するよう構成されるＥＰＤＣＣＨリソース受信モジュールと、
前記ＥＰＤＣＣＨリソースから一部のリソースを選択するよう構成される部分リソース選択モジュールと、
前記一部のリソースからＨＡＲＱインジケータ情報を抽出するよう構成されるインジケータ情報抽出モジュールと、
を有する装置を提供する。
【００３６】
第４の態様の第１の可能な実現方式では、前記部分リソース選択モジュールは、前記ＥＰＤＣＣＨリソースから少なくとも２つの部分を選択するよう具体的に構成され、各部分に含まれるリソースエレメント（ＲＥ）の個数は等しく、かつ２以上であり、
前記インジケータ情報抽出モジュールは、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関する前記ソフト情報を合成した後、前記ＨＡＲＱインジケータ情報を取得するために各部分に含まれるＲＥの個数に従ってシーケンス逆拡散を実行するか、又は、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、前記ＨＡＲＱインジケータ情報を取得するために各部分に関する前記シーケンス逆拡散されたソフト情報を合成するよう具体的に構成される。
【００３７】
第４の態様の第１の可能な実現方式によると、第２の可能な実現方式では、当該装置は、
前記インジケータ情報抽出モジュールが前記少なくとも２つの部分における各部分に対応する前記復調リファレンス信号（ＤＭＲＳ）に従ってチャネル推定を実行する前に、各部分が属するＰＲＢペアから各部分に対応する前記ＤＭＲＳを抽出するよう構成されるＤＭＲＳ抽出モジュールを更に有する。
【００３８】
第４の態様の第１又は第２の可能な実現方式によると、第３の可能な実現方式では、前記部分リソース選択モジュールは、前記ＥＰＤＣＣＨリソースの少なくとも２つの物理リソースブロック（ＰＲＢ）ペアから前記少なくとも２つの部分を選択するよう具体的に構成され、前記少なくとも２つの部分は、前記２つのＰＲＢペアにおいてＲＥを有する。
【００３９】
第４の態様の第１又は第２の可能な実現方式によると、第４の可能な実現方式では、前記部分リソース選択モジュールは、前記ＥＰＤＣＣＨリソースの１つのＰＲＢペアから前記少なくとも２つの部分を選択するよう具体的に構成される。
【００４０】
本発明の実施例によるハイブリッド自動再送要求インジケータ情報を送信する方法及び装置によると、エンハンスト物理ダウンリンク制御チャネル（ＥＰＤＣＣＨ）リソースがＵＥに割り当てられ、一部のリソースがＥＰＤＣＣＨリソースから選択され、ＨＡＲＱインジケータ情報は一部のリソースを介しＵＥに送信される。従って、基地局は、ＥＰＤＣＣＨリソースから選択された一部のリソースを介しＵＥにＨＡＲＱインジケータ情報を送信することが可能であり、ＵＥは、基地局により送信されるＨＡＲＱインジケータ情報を検出することによって、アップリンクにより送信されるデータが基地局によって正しく復号化されているか判断し、これにより、新たなデータを送信するか、又は以前のデータを再送するか判断することが可能であり、以前のデータを再送するようＵＥを制御するために新たなスケジューリングシグナリングを再送することを基地局に要求せず、これにより、システムの制御チャネルのシグナリングロードを低減することができる。
【図面の簡単な説明】
【００４１】
本発明の実施例又は従来技術における技術的手段をより明確に説明するため、以下において、実施例又は従来技術を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【００４２】
【図１】図１は、本発明の第１実施例によるＨＡＲＱインジケータ情報を送信する方法のフローチャートである。
【００４３】
【図２】図２は、本発明の第２実施例によるＨＡＲＱインジケータ情報を送信する方法のフローチャートである。
【００４４】
【図３】図３は、本発明の第３実施例によるＨＡＲＱインジケータ情報を送信する方法のフローチャートである。
【００４５】
【図４Ａ】図４Ａは、本発明の第４実施例によるＨＡＲＱインジケータ情報を送信する方法のフローチャートである。
【００４６】
【図４Ｂ】図４Ｂは、本発明の第４実施例におけるＳ４３０の具体的な実現形態を示す概略図である。
【００４７】
【図４Ｃ】図４Ｃは、本発明の第４実施例におけるＳ４３０の他の具体的な実現形態を示す概略図である。
【００４８】
【図４Ｄ】図４Ｄは、本発明の第４実施例におけるＳ４３０の更なる他の具体的な実現形態を示す概略図である。
【００４９】
【図４Ｅ】図４Ｅは、本発明の第４実施例におけるＳ４３０の更なる他の具体的な実現形態を示す概略図である。
【００５０】
【図５Ａ】図５Ａは、本発明の第５実施例によるＨＡＲＱインジケータ情報を送信する方法のフローチャートである。
【００５１】
【図５Ｂ】図５Ｂは、本発明の第５実施例におけるＳ５３０の具体的な実現形態を示す概略図である。
【００５２】
【図５Ｃ】図５Ｃは、本発明の第５実施例におけるＳ５３０の他の具体的な実現形態を示す概略図である。
【００５３】
【図５Ｄ】図５Ｄは、本発明の第５実施例におけるＳ５３０の更なる他の具体的な実現形態を示す概略図である。
【００５４】
【図６】図６は、本発明の第６実施例によるＨＡＲＱインジケータ情報を送信する方法のフローチャートである。
【００５５】
【図７】図７は、本発明の第７実施例によるＨＡＲＱインジケータ情報を送信する方法のフローチャートである。
【００５６】
【図８】図８は、本発明の第８実施例によるＨＡＲＱインジケータ情報を送信する装置の概略図である。
【００５７】
【図９】図９は、本発明の第９実施例によるＨＡＲＱインジケータ情報を送信する装置の概略図である。
【００５８】
【図１０】図１０は、本発明の第１０実施例による基地局１０００の概略構成図である。
【００５９】
【図１１】図１１は、本発明の第１１実施例によるＵＥ１１００の概略構成図である。
【発明を実施するための形態】
【００６０】
以下において、本発明の実施例における技術的手段が、本発明の実施例における添付図面を参照して明確かつ完全に説明される。明らかに、説明される実施例は、本発明の実施例の全てでなく単なる一部である。創造的な努力なく本発明の実施例に基づき当業者により取得される他の全ての実施例は、本発明の保護範囲内に属する。
【００６１】
図１は、本発明の第１実施例によるＨＡＲＱインジケータ情報を送信する方法のフローチャートである。当該方法は基地局により実行される。図１に示されるように、当該方法は以下のステップを有する。
【００６２】
Ｓ１１０．ＥＰＤＣＣＨリソースをＵＥに割り当てる。
【００６３】
基地局はスケジューリングシグナリングをＵＥに送信することによって、ＵＥのアップリンクデータ送信を制御し、基地局がＵＥに送信するスケジューリングシグナリングを伝送するためスペクトルリソースが要求されるため、基地局は、ＵＥにスケジューリングシグナリングを伝送するのに利用されるスペクトルリソースを割当て、これは一般にエンハンスト物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、略してＥＰＤＣＣＨ）リソースである。
【００６４】
Ｓ１２０．ＥＰＤＣＣＨリソースから一部のリソースを選択する。
【００６５】
Ｓ１３０．一部のリソースを介しＵＥにＨＡＲＱインジケータ情報を送信する。
【００６６】
ＥＰＤＣＣＨリソースは、ＤＭＲＳを利用することによって復調される必要がある。ＥＰＤＣＣＨによるスケジューリングシグナリングは、リファレンス信号としてＥＰＤＣＣＨリソースにより占有される物理リソースブロック（Ｐｈｙｓｉｃａｌ  Ｒｅｓｏｕｒｃｅ  Ｂｌｏｃｋ、略してＰＲＢ）ペア（Ｐａｉｒ）におけるＤＭＲＳを利用することによって復調されてもよい。本実施例では、ＨＡＲＱインジケータ情報を送信するためＥＰＤＣＣＨリソースから一部のリソースを選択することは、ＥＰＤＣＣＨ上にＨＡＲＱインジケータチャネルを設計することと等価である。ＨＡＲＱインジケータ情報はＥＰＤＣＣＨ上で搬送されるため、ＤＭＲＳもまた復調用のリファレンス信号として利用されてもよい。
【００６７】
本実施例によるＨＡＲＱインジケータ情報を送信する方法によると、一部のリソースがＥＰＤＣＣＨリソースから選択され、ＨＡＲＱインジケータ情報は一部のリソースを介しＵＥに送信される。従って、基地局は、ＥＰＤＣＣＨリソースから選択された一部のリソースを介しＵＥにＨＡＲＱインジケータ情報を送信可能であり、ＵＥは、基地局により送信されたＨＡＲＱインジケータ情報を検出することによって、アップリンクにより送信されたデータが基地局によって正しく復号化されているか判断し、これにより、新たなデータを送信するか、又は以前のデータを再送するか判断可能であり、以前のデータを再送するようＵＥを制御するため新たなスケジューリングシグナリングを再送するよう基地局に要求せず、これにより、システムの制御チャネルのシグナリングロードを低減することができる。
【００６８】
図２は、本発明の第２実施例によるＨＡＲＱインジケータ情報を送信する方法のフローチャートである。本実施例は更に、上述した第１実施例に基づき細分化される。図２に示されるように、本実施例による方法は以下のステップを有してもよい。
【００６９】
Ｓ２１０．ＥＰＤＣＣＨリソースをＵＥに割り当てる。
【００７０】
Ｓ２２０．ＥＰＤＣＣＨリソースから一部のリソースを選択する。
【００７１】
具体的には、一部のリソースは、ＥＤＰＣＣＨリソースのＰＲＢペアから選択されてもよい。
【００７２】
Ｓ２３０．一部のリソースを少なくとも２つの部分に分割し、ここで、各部分に含まれるリソースエレメント（ＲＥ）の個数は等しく、かつ２以上である。
【００７３】
Ｓ２４０．各部分に含まれるＲＥの個数に従って対応するビットシーケンスによってＨＡＲＱインジケータ情報を拡散する。
【００７４】
ＰＲＢペアはＥＰＤＣＣＨを含み、ここで、ＥＰＤＣＣＨはＥＣＣＥにより形成される。
【００７５】
ＥＤＰＣＣＨリソースのＰＲＢペアから一部のリソースを選択することは、一部のリソースが選択された後、ＰＲＢペアにおける各エンハンスト制御チャネルエレメント（ＥＣＣＥ）に同数のＲＥを含ませてもよい。
【００７６】
例えば、各部分が２つのＲＥを含む場合、対応する拡散されるシーケンスの個数は２＊２＝４であり、各部分が３つのＲＥを含む場合、対応する拡散されるシーケンスの個数は２＊３＝６である。
【００７７】
さらに、要求されるＨＡＲＱチャネルキャパシティを充足するため、Ｓ２３０は、要求されるＨＡＲＱチャネルキャパシティに従って、一部のリソースを少なくとも２つの部分に分割することを含んでもよく、ここで、各部分に含まれるＲＥの個数に対応する拡散されるシーケンスの個数は、要求されるＨＡＲＱチャネルキャパシティに一致する。具体的には、拡散されるシーケンスの個数は、ＨＡＲＱインジケータチャネルのキャパシティ、すなわち、ＵＥに同時に送信可能なＨＡＲＱインジケータ情報の量を表す。
【００７８】
以降のアプリケーションを容易にするため、要求されるＨＡＲＱチャネルキャパシティは、一般に設計中はＥＰＤＣＣＨリソースが搬送可能なＨＡＲＱインジケータチャネルの最大キャパシティとして定義される。
【００７９】
Ｓ２５０．各部分におけるＲＥにシーケンスにより拡散されるＨＡＲＱインジケータ情報を繰り返し設定する。
【００８０】
例えば、一部のリソースが４つの部分に分割され、各部分が２つのＲＥを含む場合、ＨＡＲＱインジケータ情報は２ビットのビットシーケンスにより拡散され、すなわち、オリジナルの１ビットＨＡＲＱインジケータ情報は２ビットとして拡散される。このとき、拡散される２ビットのＨＡＲＱインジケータ情報は４つの部分におけるＲＥに繰り返し設定され、すなわち、２ビットのＨＡＲＱインジケータ情報は各部分における２つのＲＥに設定される。これに対応して、ＨＡＲＱインジケータ情報のパワーゲインは８倍になり、９ｄＢに等しくなる。
【００８１】
一部のリソースはまた、Ｓ２３０において少なくとも２つの部分に分割されなくてもよいことに留意すべきである。例えば、一部のリソースが８個のＲＥである場合、ＨＡＲＱインジケータ情報はまた、Ｓ２４０において８ビットシーケンスにより拡散されてもよく、Ｓ２５０において、シーケンスにより拡散されるＨＡＲＱインジケータ情報は８個のＲＥに設定される。これに対応して、ＨＡＲＱインジケータ情報のパワーゲインもまた８倍になり、９ｄＢに等しくなる。
【００８２】
Ｓ２６０．一部のリソースをＵＥに送信する。
【００８３】
本実施例によるＨＡＲＱインジケータ情報を送信する方法によると、ＨＡＲＱインジケータ情報は、そのビット数が各部分に含まれるＲＥの個数に対応するシーケンスにより拡散され、当該シーケンスにより拡散されるＨＡＲＱインジケータ情報は、各部分におけるＲＥに繰り返し設定され、ＨＡＲＱインジケータ情報のパワーゲインを実現する。さらに、基地局は、各部分におけるＲＥに繰り返し設定されるシーケンスにより拡散されるＨＡＲＱインジケータ情報をＵＥに送信するため、ＵＥは、基地局により送信され、各部分におけるＲＥに繰り返し設定されたシーケンスにより拡散されるＨＡＲＱインジケータ情報を検出することによって、アップリンクにより送信されたデータが基地局によって正しく復号化されているか判断し、これにより、新たなデータを送信するか、又は以前のデータを再送するか判断可能であり、以前のデータを再送するようＵＥを制御するため新たなスケジューリングシグナリングを再送するよう基地局に要求せず、これにより、システムの制御チャネルのシグナリングロードを低減することができる。
【００８４】
図３は、本発明の第３実施例によるＨＡＲＱインジケータ情報を送信する方法のフローチャートである。本実施例は更に、上述した第２実施例に基づき細分化される。図３に示されるように、本実施例による方法は以下のステップを有してもよい。
【００８５】
Ｓ３１０．ＥＰＤＣＣＨリソースをＵＥに割り当てる。
【００８６】
Ｓ３２０．ＰＲＢペアにおける各エンハンスト制御チャネルエレメント（Ｅｎｈａｎｃｅｄ  Ｃｏｎｔｒｏｌ  Ｃｈａｎｎｅｌ  Ｅｌｅｍｅｎｔ、略してＥＣＣＥ）がパンクチャリング（すなわち、Ｐｕｎｃｈｅｒ）後に同数のＲＥを含むように、ＥＤＰＣＣＨリソースのＰＲＢペアから一部のリソースを選択する。
【００８７】
ＰＲＢペアが通常のサイクリックプリフィックス（Ｃｙｃｌｅ  Ｐｒｅｆｉｘ、略してＣＰ）であるとき、ＰＲＢペアは、周波数ドメインにおける１２個の連続するサブキャリアと、時間ドメインにおける１４個のＯＦＤＭシンボルとにより形成される。周波数ドメインにおける１２個の連続するサブキャリアと時間ドメインにおける最初の７個のＯＦＤＭシンボルとが１つのＰＲＢとしてみなされてもよく、周波数ドメインにおける１２個の連続するサブキャリアと時間ドメインにおける最後のＯＦＤＭシンボルとがもう１つのＰＲＢとしてみなされてもよい。ＰＲＢペアが拡張されたＣＰであるとき、ＰＲＢペアは、周波数ドメインにおける１２個の連続するサブキャリアと時間ドメインにおける１２個のＯＦＤＭシンボルとにより形成される。周波数ドメインにおける１２個の連続するサブキャリアと時間ドメインにおける最初の６個の連続するサブキャリアとが１つのＰＲＢとしてみなされてもよく、周波数ドメインにおける１２個の連続するサブキャリアと時間ドメインにおける最後の６個のＯＦＤＭシンボルとがもう１つのＰＲＢとしてみなされてもよい。
【００８８】
一般に、ＥＰＤＣＣＨにおける通常のＣＰによる各ＰＲＢペアは４つのエンハンスト制御チャネルエレメント（Ｅｎｈａｎｃｅｄ  Ｃｏｎｔｒｏｌ  Ｃｈａｎｎｅｌ  Ｅｌｅｍｅｎｔ、略してＥＣＣＥ）を含み、拡張されたＣＰによる各ＰＲＢペアは２つのＥＣＣＥを含む。極端なケースでは、各ＥＣＣＥは１人のユーザのアップリンクデータ送信をスケジューリングし、各アップリンクデータ送信は、２つのＨＡＲＱインジケータ情報を要求する最大で２つのデータブロックの送信をサポートしてもよい。従って、通常のＣＰによる各ＰＲＢペアは、最大で４人のユーザの要求、すなわち、合計で８個のＨＡＲＱインジケータ情報を充足する必要があり、拡張されたＣＰによる各ＰＲＢペアは、最大で２人のユーザの要求、すなわち、合計で４個のＨＡＲＱインジケータ情報を充足する必要がある。具体的には、各ＥＣＣＥは同数のＲＥを含む。同数のＲＥは、ＨＡＲＱインジケータチャネルを形成するため各ＥＣＣＥから選択されてもよく、これにより、ＰＲＢペアにおける各ＥＣＣＥはパンクチャリング後に同数のＲＥを含む。
【００８９】
Ｓ３３０．一部のリソースをパンクチャリングする。
【００９０】
Ｓ３４０．パンクチャリングされた一部のリソースを介しＵＥにＨＡＲＱインジケータ情報を送信する。
【００９１】
具体的には、Ｓ３４０は、パンクチャリングされた一部のリソースを少なくとも２つの部分に分割し、ここで、各部分におけるリソースエレメント（ＲＥ）の個数は等しく、かつ２以上であり、各部分におけるＲＥの個数に従って、対応するビットシーケンスによりＨＡＲＱインジケータ情報を拡散し、各部分におけるＲＥにシーケンスにより拡散されるＨＡＲＱインジケータ情報を繰り返し設定し、一部のリソースをＵＥに送信することを具体的に含む。
【００９２】
さらに、Ｓ３２０は、ＥＰＤＣＣＨリソースの１つのＰＲＢペアから一部のリソースを選択することを含み、
ここで、一部のリソースに含まれるＲＥの個数に対応する拡散されるシーケンスの個数は、１つのＰＲＢペアに含まれるＥＣＣＥの個数と２とを乗算することによって取得される値に等しい。
【００９３】
本実施例では、ＵＥに属するＨＡＲＱインジケータ情報が１つのＰＲＢペアにより送信される方法は、ローカライズ方式と呼ばれる。
【００９４】
さらに、一部のリソースをＵＥに送信する前に、当該方法は、
１つのＰＲＢペアにおける１つのＤＭＲＳをシーケンスにより拡散されるＨＡＲＱインジケータ情報と関連付けることを更に含む。
【００９５】
本実施例によるＨＡＲＱインジケータ情報を送信する方法によると、一部のリソースはＥＰＤＣＣＨリソースのＰＲＢペアから選択され、ＨＡＲＱインジケータ情報はパンクチャリングされた一部のリソースを介しＵＥに送信される。従って、ＵＥは、基地局により送信されたＨＡＲＱインジケータ情報を検出することによって、アップリンクにより送信されたデータが基地局によって正しく復号化されているか判断し、これにより、新たなデータを送信するか、又は以前のデータを再送するか判断可能であり、以前のデータを再送するようＵＥを制御するため新たなスケジューリングシグナリングを再送するよう基地局に要求せず、これにより、システムの制御チャネルのシグナリングロードを低減することができる。
【００９６】
図４Ａは、本発明の第４実施例によるＨＡＲＱインジケータ情報を送信する方法のフローチャートである。本実施例は更に、上述した第２実施例に基づき最適化される。本実施例の実現形態シナリオは、少なくとも２つのＰＲＢペアにおけるＲＥが一部のリソースとして選択されることである。図４Ａに示されるように、本実施例による方法は以下のステップを有してもよい。
【００９７】
Ｓ４１０．ＥＰＤＣＣＨリソースをＵＥに割り当てる。
【００９８】
Ｓ４２０．ＥＰＤＣＣＨリソースの少なくとも２つのＰＲＢペアから一部のリソースを選択する。
【００９９】
少なくとも２つのＰＲＢペアは、ＵＥに対して設定される１つのＥＰＤＣＣＨ  ＰＲＢセットに配置されるか、又はＵＥに対して設定される異なるＥＰＤＣＣＨ  ＰＲＢセットに配置されてもよい。
【０１００】
Ｓ４３０．一部のリソースを少なくとも１つのグループにグループ化し、ここで、各グループは少なくとも２つのＰＲＢペアにおいてＲＥを含み、各グループを少なくとも２つの部分に分割し、ここで、各部分に含まれるＲＥの個数は等しく、かつ２以上であり、各部分に含まれるＲＥの個数に対応する拡散されるシーケンスの個数とグループの個数との積は、少なくとも２つのＰＲＢペアに含まれるＥＣＣＥの個数と２とを乗算することによって取得される値に等しい。
【０１０１】
一部のリソースは、Ｓ４２０において通常のＣＰによる２つのＰＲＢペアから選択され、Ｓ４３０において一部のリソースは２つのグループにグループ化され、各グループは３つの部分に分割され、ここで、各部分は４つのＲＥを含む。従って、各部分に含まれるＲＥの個数に対応する拡散されるシーケンスの個数とグループの個数、すなわち、２との積は８＊２＝１６であり、通常のＣＰによる２つのＰＲＢペアに含まれるＥＣＣＥの個数と２との積は８＊２＝１６である。従って、このようなシナリオでは、ＨＡＲＱインジケータチャネルのキャパシティは最大に達する。
【０１０２】
Ｓ４４０．各部分に含まれるＲＥの個数に従って対応するビットシーケンスによってＨＡＲＱインジケータ情報を拡散する。
【０１０３】
Ｓ４５０．１つのグループの各部分におけるＲＥにシーケンスにより拡散されるＨＡＲＱインジケータ情報を繰り返し設定する。
【０１０４】
Ｓ４６０．一部のリソースをＵＥに送信する。
【０１０５】
本実施例では、ＵＥに属するＨＡＲＱインジケータ情報が少なくとも２つのＰＲＢペアにより送信される方法は、分散方式と呼ばれる。
【０１０６】
本実施例によるＨＡＲＱインジケータ情報を送信する方法によると、一部のリソースはＥＰＤＣＣＨリソースの２つの物理リソースブロック（ＰＲＢ）ペアから選択され、一部のリソースは少なくとも１つのグループにグループ化され、各グループは少なくとも２つの部分に分割され、ＨＡＲＱインジケータ情報は各部分に含まれるＲＥの個数に従って対応するビットシーケンスにより拡散され、シーケンスにより拡散されたＨＡＲＱインジケータ情報は、１つのグループの各部分におけるＲＥに繰り返し設定され、これにより、ＨＡＲＱインジケータ情報のパワーゲインを実現する。さらに、基地局は、各部分におけるＲＥに繰り返し設定されるシーケンスにより拡散されるＨＡＲＱインジケータ情報をＵＥに送信するため、ＵＥは、基地局により送信され、各部分におけるＲＥに繰り返し設定されるシーケンスにより拡散されたＨＡＲＱインジケータ情報を検出することによって、アップリンクにより送信されたデータが基地局によって正しく復号化されているか判断し、これにより、新たなデータを送信するか、又は以前のデータを再送するか判断可能であり、以前のデータを再送するようＵＥを制御するため新たなスケジューリングシグナリングを再送するよう基地局に要求せず、これにより、システムの制御チャネルのシグナリングロードを低減することができる。
【０１０７】
さらに、上述した第４実施例では、Ｓ４６０の前に、当該方法は更に、１つのグループの部分について、当該部分があるＰＲＢペアにおけるＤＭＲＳを、当該部分に設定されるシーケンスにより拡散されるＨＡＲＱインジケータ情報と関連付けることを含んでもよい。各ＰＲＢペアは、１つのグループの少なくとも２つの部分を含む。当該部分があるＰＲＢペアにおけるＤＭＲＳを当該部分に設定されるシーケンスにより拡散されるＨＡＲＱインジケータ情報と関連付けることは、具体的には以下のように、１つのＰＲＢペアの１つのグループにおける少なくとも２つの部分について、ＰＲＢペアにおける少なくとも２つのＤＭＲＳを、少なくとも２つの部分に設定されるシーケンスにより拡散されるＨＡＲＱインジケータ情報と関連付けることであってもよい。
【０１０８】
さらに、ＥＰＤＣＣＨリソースの少なくとも２つのＰＲＢペアから一部のリソースを選択し、一部のリソースを少なくとも１つのグループにグループ化し、各グループを少なくとも２つの部分に分割する方法は、以下の図４Ｂ、４Ｃ、４Ｄ及び４Ｅをそれぞれ参照して説明されてもよい。図４Ｂは、本発明の第４実施例におけるＳ４３０の具体的な実現形態を示す概略図である。図４Ｂに示されるように、ＰＲＢペアが通常のＣＰであり、選択された一部のリソースがＤＭＲＳがあるシンボルのＲＥであるとき、選択された一部のリソースは２つのグループにグループ化され、各グループは４つの部分に分割される。一部のリソースは２つのＰＲＢペアに配置され、２４個のＲＥを含むものであってもよい。これら２４個のＲＥは図４Ｂにおける全ての太線のフレームにおけるＲＥであり、ここで、それの１２個のＲＥが１つのグループを形成し、他の１２個のＲＥが他のグループを形成する。各グループに含まれる１２個のＲＥは４つの部分に分割され、各部分は３つのＲＥを含む。ＨＡＲＱインジケータ情報により占有される一部のリソースをグループ化して分割する具体的な方法は、以下のように、各ＰＲＢペアの第１ＰＲＢにおける第６シンボルに配置され、また、第３〜５サブキャリアに配置される３つのＲＥと、第１ＰＲＢにおける第７シンボルに配置され、また、第８〜１０サブキャリアに配置される３つのＲＥとを第１グループに割当て、各ＰＲＢペアの第１ＰＲＢにおける第６シンボルに配置され、また、第８〜１０サブキャリアに配置される３つのＲＥと、第１ＰＲＢにおける第７シンボルに配置され、また、第３〜５サブキャリアに配置される３つのＲＥとを第２グループに割当て、１つのＰＲＢペアの第１ＰＲＢにおける第６シンボルに配置され、また、第３〜５サブキャリアに配置される３つのＲＥを第１グループの第１部分に割当て、１つのＰＲＢペアの第１ＰＲＢにおける第７シンボルに配置され、また、第８〜１０サブキャリアに配置される３つのＲＥを第１グループの第２部分に割当て、他方のＰＲＢペアの第１ＰＲＢにおける第６シンボルに配置され、また、第３〜５サブキャリアに配置される３つのＲＥを第１グループの第３部分に割当て、他方のＰＲＢペアの第１ＰＲＢにおける第７シンボルに配置され、また、第８〜１０サブキャリアに配置される３つのＲＥを第１グループの第４部分に割当て、１つのＰＲＢペアの第１ＰＲＢにおける第６シンボルに配置され、また、第８〜１０サブキャリアに配置される３つのＲＥを第２グループの第１部分に割当て、１つのＰＲＢペアの第１ＰＲＢにおける第７シンボルに配置され、また、第３〜５サブキャリアに配置される３つのＲＥを第２グループの第２部分に割当て、他方のＰＲＢペアの第１ＰＲＢにおける第６シンボルに配置され、また、第８〜１０サブキャリアに配置される３つのＲＥを第２グループの第３部分に割当て、他方のＰＲＢペアの第１ＰＲＢにおける第７シンボルに配置され、また、第３〜５サブキャリアに配置される３つのＲＥを第２グループの第４部分に割当ててもよい。各部分は３つのＲＥを含むため、ＨＡＲＱインジケータ情報は、各部分に含まれるＲＥの個数に従って、３ビットシーケンスにより拡散されてもよい。シーケンスにより拡散されるＨＡＲＱインジケータ情報はまず、グループの１つの部分の３つのＲＥに設定され、その後、シーケンスにより拡散されるＨＡＲＱインジケータ情報は、当該グループのその他の３つの部分のＲＥに繰り返し設定される。従って、ユーザのＨＡＲＱインジケータ情報のパワーゲインは、１２倍、すなわち、１０．８ｄＢに達してもよい。さらに、各グループは合計で６つの拡散されるシーケンスを利用するため、各グループは、合計で６個のＨＡＲＱインジケータ情報をサポートする。本実施例では、合計で２つのグループがあり、従って、これら２つのグループは合計で１２個のＨＡＲＱインジケータ情報をサポートする。２つのＰＲＢペアは合計で８個のＥＣＣＥを有し、これら８個のＥＣＣＥは最大で８個のスケジューリングシグナリングをサポートする。各スケジューリングシグナリングはアップリンクスケジューリングに利用され、各スケジューリングシグナリングが２つのトランスポートブロック（Ｔｒａｎｓｍｉｔ  Ｂｌｏｃｋ、略してＴＢ）をスケジューリングする場合、合計で１６個のＨＡＲＱインジケータ情報がこの場合には必要とされ、すなわち、２つのＰＲＢペアによりサポートされる最大ＨＡＲＱキャパシティはこの場合には１６となる。従って、図４Ｂに示されるＨＡＲＱインジケータ情報により占有される一部のリソースを選択し、選択された一部のリソースをグループ化及び分割する方法を参照して、２つのＰＲＢペアによりサポートされるＨＡＲＱキャパシティは１２となり、これは、サポートされる最大キャパシティの１２／１６である。さらに、ＨＡＲＱインジケータ情報により占有されるＲＥがパンクチャリングされた後、各ＥＣＣＥに含まれるＲＥの個数は同じであり、すなわち、３３である。図４Ｂは、選択された一部のリソースが２つのＰＲＢペアの第１ＰＲＢにおけるＲＥである具体例を利用することによって単に説明されていることに留意すべきである。おそらく、２つのＰＲＢペアの第２ＰＲＢにおけるＲＥもまた選択される一部のリソースとして選択されてもよく、選択された一部のリソースをグループ化及び分割する方法は、図４Ｂにおいて説明された方法と同様であり、ここでは再度説明されない。
【０１０９】
さらに、図４Ｃは、本発明の第４実施例におけるＳ４３０の他の具体的な実現形態を示す概略図である。図４Ｃに示されるように、ＰＲＢペアが通常のＣＰであり、選択された一部のリソースがＤＭＲＳがあるシンボルのＲＥであるとき、選択された一部のリソースは３つのグループにグループ化され、各グループは４つの部分に分割される。一部のリソースは、２つのＰＲＢペアに配置され、２４個のＲＥを含んでもよい。これら２４個のＲＥは図４Ｃにおける全ての太線のフレームにおけるＲＥであり、ここで、２４個のＲＥは３つのグループにグループ化され、各グループは８個のＲＥを含む。各グループに含まれる８個のＲＥは４つの部分に分割され、各部分は２つのＲＥを含む。ＨＡＲＱインジケータ情報により占有される一部のリソースをグループ化及び分割する具体的な方法は、以下のように、各ＰＲＢペアの第１ＰＲＢにおける第６，７シンボルに配置され、また、第３，４サブキャリアに配置される４つのＲＥを第１グループに割当て、各ＰＲＢペアの第１ＰＲＢにおける第６，７シンボルに配置され、また、第５，８サブキャリアに配置される４つのＲＥを第２グループに割当て、各ＰＲＢペアの第１ＰＲＢにおける第６，７シンボルに配置され、また、第９，１０サブキャリアに配置される４つのＲＥを第３グループに割当て、サブキャリアの相違に従って、１つのＰＲＢペアの第１ＰＲＢにおける第６，７シンボルに配置され、また、第３，４サブキャリアに配置される４つのＲＥを第１グループの２つの部分に割当て、対応するサブキャリアに従って、他方のＰＲＢペアの第１ＰＲＢにおける第６，７シンボルに配置され、また、第３，４サブキャリアに配置される４つのＲＥを第１グループのその他の２つの部分に割当て、対応するサブキャリアに従って、１つのＰＲＢペアの第１ＰＲＢにおける第６，７シンボルに配置され、また、第５，８サブキャリアに配置される４つのＲＥを第２グループの２つの部分に割当て、対応するサブキャリアに従って、他方のＰＲＢペアの第１ＰＲＢにおける第６，７シンボルに配置され、また、第５，８サブキャリアに配置される４つのＲＥを第２グループのその他の２つの部分に割当て、対応するサブキャリアに従って、１つのＰＲＢペアの第１ＰＲＢにおける第６，７シンボルに配置され、また、第９，１０サブキャリアに配置される４つのＲＥを第３グループの２つの部分に割当て、対応するサブキャリアに従って、他方のＰＲＢペアの第１ＰＲＢにおける第６，７シンボルに配置され、また、第９，１０サブキャリアに配置される４つのＲＥを第３グループのその他の２つの部分に割当ててもよい。各部分は２つのＲＥを含むため、ＨＡＲＱインジケータ情報は、各部分に含まれるＲＥの個数に従って２ビットのシーケンスにより拡散されてもよい。シーケンスにより拡散されるＨＡＲＱインジケータ情報はまず、グループの１つの部分の２つのＲＥに設定され、その後、シーケンスにより拡散されるＨＡＲＱインジケータ情報は、グループのその他の３つの部分のＲＥに繰り返し設定される。従って、ユーザのＨＡＲＱインジケータ情報のパワーゲインは、８倍、すなわち、９ｄＢに達する可能性がある。さらに、各グループは合計で４つの拡散されるシーケンスを利用するため、各グループは、合計で４個のＨＡＲＱインジケータ情報をサポートする。本実施例では、合計で３つのグループがあり、従って、これら３つのグループは合計で１２個のＨＡＲＱインジケータ情報をサポートする。２つのＰＲＢペアによりサポートされる最大ＨＡＲＱキャパシティは１６である。従って、図４Ｃにおいて説明されるＨＡＲＱインジケータ情報により占有される一部のリソースを選択し、選択された一部のリソースをグループ化及び分割する方法を参照して、２つのＰＲＢペアによりサポートされるＨＡＲＱキャパシティは１２となり、これは、サポートされる最大キャパシティの１２／１６である。さらに、ＨＡＲＱインジケータ情報により占有されるＲＥがパンクチャリングされた後、各ＥＣＣＥに含まれるＲＥの個数は同じであり、すなわち、３３である。図４Ｃは、選択された一部のリソースが２つのＰＲＢペアの第１ＰＲＢにおけるＲＥであるという具体例を利用することによって単に説明されていることにここでは留意すべきである。おそらく、２つのＰＲＢペアの第２ＰＲＢにおけるＲＥはまた、選択された一部のリソースとして選択されてもよく、選択された一部のリソースをグループ化及び分割する方法は、図４Ｃに説明される方法と同様であり、ここでは再度説明されない。
【０１１０】
さらに、図４Ｄは、本発明の第４実施例におけるＳ４３０の更なる他の具体的な実現形態を示す概略図である。図４Ｄに示されるように、ＰＲＢペアが通常のＣＰであり、選択された一部のリソースがＤＭＲＳがあるシンボルのＲＥでないとき、選択された一部のリソースは２つのグループにグループ化され、各グループは４つの部分に分割される。一部のリソースは、２つのＰＲＢペアに配置され、３２個のＲＥを含んでもよい。これら３２個のＲＥは図４Ｄの全ての太線のフレームにおけるＲＥであり、ここで、３２個のＲＥは２つのグループにグループ化され、各グループは１６個のＲＥを含む。各グループに含まれる１６個のＲＥは４つの部分に分割され、各部分は４つのＲＥを含む、ＨＡＲＱインジケータ情報により占有される一部のリソースをグループ化及び分割する具体的な方法は、以下のように、各ＰＲＢペアの第１ＰＲＢにおける第３，４シンボルに配置され、また、第１，２，７，８サブキャリアに配置される８つのＲＥを第１グループに割当て、各ＰＲＢペアの第１ＰＲＢにおける第３，４シンボルに配置され、また、第５，６，１１，１２サブキャリアに配置される８つのＲＥを第２グループに割当て、対応するサブキャリアに従って、１つのＰＲＢペアの第１ＰＲＢにおける第３，４シンボルに配置され、また、第１，２，７，８サブキャリアに配置される８つのＲＥを第１グループの２つの部分に順番に割当て、対応するサブキャリアに従って、他方のＰＲＢペアの第１ＰＲＢにおける第３，４シンボルに配置され、また、第１，２，７，８サブキャリアに配置される８つのＲＥを第１グループの他の２つの部分に順番に割当て、対応するサブキャリアに従って、１つのＰＲＢペアの第１ＰＲＢにおける第３，４シンボルに配置され、また、第５，６，１１，１２サブキャリアに配置される８つのＲＥを第２グループの２つの部分に順番に割当て、対応するサブキャリアに従って、１つのＰＲＢペアの第１ＰＲＢにおける第３，４シンボルに配置され、また、第５，６，１１，１２サブキャリアに配置される８つのＲＥを第２グループの他方の２つの部分に順番に割当ててもよい。各部分は４つのＲＥを含むため、ＨＡＲＱインジケータ情報は、各部分に含まれるＲＥの個数に従って４ビットのシーケンスにより拡散されてもよい。シーケンスにより拡散されるＨＡＲＱインジケータ情報はまず、グループの１つの部分の４つのＲＥに設定され、その後、シーケンスにより拡散されるＨＡＲＱインジケータ情報は、グループの他の３つの部分のＲＥに繰り返し設定される。従って、ユーザのＨＡＲＱインジケータ情報のパワーゲインは、１６倍、すなわち、１２ｄＢに達する可能性がある。さらに、各グループは合計で８個の拡散されるシーケンスを利用するため、各グループは、合計で８個のＨＡＲＱインジケータ情報をサポートする。本実施例では、合計で２つのグループがあり、従って、これら２つのグループは合計で１６個のＨＡＲＱインジケータ情報をサポートする。２つのＰＲＢペアによりサポートされる最大ＨＡＲＱキャパシティは１６である。従って、図４Ｄにおいて説明されるＨＡＲＱインジケータ情報により占有される一部のリソースを選択し、選択された一部のリソースをグループ化及び分割する方法を参照して、２つのＰＲＢペアによりサポートされるＨＡＲＱキャパシティは１６であり、すなわち、サポートされる最大キャパシティに到達する。さらに、ＨＡＲＱインジケータ情報により占有されるＲＥがパンクチャリングされた後、各ＥＣＣＥに含まれるＲＥの個数は同じであり、すなわち、３２である。図４Ｄは、選択された一部のリソースが２つのＰＲＢペアの第１ＰＲＢにおけるＲＥである具体例を利用することによって単に説明されたことにここでは留意すべきである。おそらく、２つのＰＲＢペアの第２ＰＲＢにおけるＲＥがまた選択された一部のリソースとして選択されてもよく、選択された一部のリソースをグループ化及び分割する方法は、図４Ｄに説明される方法と同様であり、ここでは再度説明されない。
【０１１１】
さらに、図４Ｅは、本発明の第４実施例におけるＳ４３０の更なる他の具体的な実現形態を示す概略図である。図４Ｅに示されるように、ＰＲＢペアが拡張されたＣＰであり、選択された一部のリソースがＤＭＲＳがあるシンボルのＲＥでないとき、選択された一部のリソースは１つのグループにグループ化され、当該グループは４つの部分に分割される。一部のリソースは２つのＰＲＢペアに配置され、１６個のＲＥを含んでもよい。これら１６個のＲＥは図４Ｅの太線のフレームにおけるＲＥであり、ここで、１６個のＲＥは１つのグループにグループ化される。グループに含まれる１６個のＲＥは４つの部分に分割され、各部分は４つのＲＥを含む。ＨＡＲＱインジケータ情報により占有される一部のリソースをグループ化及び分割する具体的な方法は、以下のように、各ＰＲＢペアの第１ＰＲＢにおける第２，３シンボルに配置され、また、第１，２，７，８サブキャリアに配置される８つのＲＥをグループに割当て、対応するサブキャリアに従って、１つのＰＲＢペアの第１ＰＲＢにおける第２，３シンボルに配置され、また、第１，２，７，８サブキャリアに配置される８つのＲＥをグループの２つの部分に順番に割当て、対応するサブキャリアに従って、他方のＰＲＢペアの第１ＰＲＢにおける第２，３シンボルに配置され、また、第１，２，７，８サブキャリアに配置される８つのＲＥをグループの他方の２つの部分に順番に割当ててもよい。各部分は４つのＲＥを含むため、ＨＡＲＱインジケータ情報は、各部分に含まれるＲＥの個数に従って４ビットのシーケンスにより拡散されてもよい。シーケンスにより拡散されるＨＡＲＱインジケータ情報はまず、グループの１つの部分の４つのＲＥに設定され、その後、シーケンスにより拡散されるＨＡＲＱインジケータ情報は、グループの他の３つの部分のＲＥに繰り返し設定される。従って、ユーザのＨＡＲＱインジケータ情報のパワーゲインは、１６倍、すなわち、１２ｄＢに達する可能性がある。さらに、各グループは合計で８個の拡散されるシーケンスを利用するため、各グループは、合計で８個のＨＡＲＱインジケータ情報をサポートする。本実施例では、合計で１つのグループがあり、従って、当該グループは、合計で８個のＨＡＲＱインジケータ情報をサポートする。拡張されたＣＰのケースでは、２つのＰＲＢペアが合計で４つのＥＣＣＥを有するため、サポートされる最大ＨＡＲＱキャパシティは８である。従って、図４Ｅにおいて説明されるＨＡＲＱインジケータ情報により占有される一部のリソースを選択し、選択された一部のリソースをグループ化及び分割する方法を参照して、２つのＰＲＢペアによりサポートされるＨＡＲＱキャパシティは８であり、すなわち、サポートされる最大キャパシティに到達する。さらに、ＨＡＲＱインジケータ情報により占有されるＲＥがパンクチャリングされた後、各ＥＣＣＥに含まれるＲＥの個数は同じであり、すなわち、３４である。図４Ｅは、選択される一部のリソースが２つのＰＲＢペアの第１ＰＲＢにおけるＲＥである具体例を利用することによって単に説明されたことにここでは留意すべきである。おそらく、２つのＰＲＢペアの第２ＰＲＢにおけるＲＥがまた選択される一部のリソースとして選択されてもよく、選択される一部のリソースをグループ化及び分割する方法は、図４Ｅに説明される方法と同様であり、ここでは再度説明されない。
【０１１２】
図５Ａは、本発明の第５実施例によるＨＡＲＱインジケータ情報を送信する方法のフローチャートである。本実施例の実現形態のシナリオは、１つのＰＲＢペアの１つのＰＲＢにおけるＲＥが一部のリソースとして選択されることである。図５Ａに示されるように、本実施例による方法は以下のステップを有してもよい。
【０１１３】
Ｓ５１０．ＥＰＤＣＣＨリソースをＵＥに割り当てる。
【０１１４】
Ｓ５２０．ＥＰＤＣＣＨリソースの１つのＰＲＢペアから一部のリソースを選択する。
【０１１５】
Ｓ５３０．一部のリソースを少なくとも１つの部分に分割し、ここで、各部分に含まれるＲＥの個数は等しく、かつ２以上であり、各部分に含まれるＲＥの個数に対応する拡散されるシーケンスの個数は、１つのＰＲＢペアに含まれるＥＣＣＥの個数と２とを乗算することによって取得される値に等しい。
【０１１６】
Ｓ５４０．各部分に含まれるＲＥの個数に従って対応するビットシーケンスによってＨＡＲＱインジケータ情報を拡散する。
【０１１７】
Ｓ５５０．各部分におけるＲＥにシーケンスにより拡散されるＨＡＲＱインジケータ情報を繰り返し設定する。
【０１１８】
Ｓ５６０．一部のリソースをＵＥに送信する。
【０１１９】
本実施例によるＨＡＲＱインジケータ情報を送信する方法によると、一部のリソースはＥＰＤＣＣＨリソースの１つのＰＲＢペアから選択され、一部のリソースは少なくとも１つの部分に分割され、ＨＡＲＱインジケータ情報は各部分に含まれるＲＥの個数に従って対応するビットシーケンスによって拡散され、シーケンスにより拡散されるＨＡＲＱインジケータ情報は各部分におけるＲＥに繰り返し設定され、これにより、ＨＡＲＱインジケータ情報のパワーゲインを実現する。さらに、基地局は各部分におけるＲＥに繰り返し設定されるシーケンスにより拡散されるＨＡＲＱインジケータ情報をＵＥに送信するため、ＵＥは、基地局により送信され、各部分におけるＲＥに繰り返し設定されるシーケンスにより拡散されるＨＡＲＱインジケータ情報を検出することによって、アップリンクにより送信されるデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減できる。
【０１２０】
さらに、上述した第５実施例では、一部のリソースをＵＥに送信する前に、当該方法は更に、
１つのＰＲＢペアにおける１つのＤＭＲＳをシーケンスにより拡散されるＨＡＲＱインジケータ情報と関連付けることを含んでもよい。
【０１２１】
さらに、ＥＰＤＣＣＨリソースの１つのＰＲＢペアから一部のリソースを選択し、一部のリソースを少なくとも１つの部分に分割する方法が、以下の図５Ｂ、５Ｃ及び５Ｄのそれぞれを参照して説明されてもよい。図５Ｂは、本発明の第５実施例におけるＳ５３０の具体的な実現形態を示す概略図である。図５Ｂに示されるように、ＰＲＢペアが通常のＣＰであり、選択された一部のリソースがＤＭＲＳがあるシンボルのＲＥであるとき、選択された一部のリソースは３つの部分に分割される。一部のリソースは１つのＰＲＢペアに配置され、１２個のＲＥを含んでもよい。これら１２個のＲＥは図５Ｂの全ての太線のフレームにおけるＲＥであり、ここで、１２個のＲＥは３つの部分に分割され、各部分は４つのＲＥを含む。ＨＡＲＱインジケータ情報により占有される一部のリソースを分割する具体的な方法は、以下のように、１つのＰＲＢペアの第１ＰＲＢにおける第６，７シンボルに配置され、また、第３，４サブキャリアに配置される４つのＲＥを第１グループに割当て、１つのＰＲＢペアの第１ＰＲＢにおける第６，７シンボルに配置され、また、第５，８サブキャリアに配置される４つのＲＥを第２部分に割当て、１つのＰＲＢペアの第１ＰＲＢにおける第６，７シンボルに配置され、また、第９，１０サブキャリアに配置される４つのＲＥを第３部分に割当ててもよい。各部分は４つのＲＥを含むため、ＨＡＲＱインジケータ情報は、各部分に含まれるＲＥの個数に従って４ビットのシーケンスにより拡散されてもよい。シーケンスにより拡散されるＨＡＲＱインジケータ情報はまず１つの部分の４つのＲＥに設定され、その後、シーケンスにより拡散されるＨＡＲＱインジケータ情報は１つのグループのその他の３つの部分のＲＥに繰り返し設定される。従って、ユーザのＨＡＲＱインジケータ情報のパワーゲインは、１２倍、すなわち、１０．８ｄＢに達する可能性がある。さらに、合計で８個の拡散されるシーケンスが利用されるため、合計で８個のＨＡＲＱインジケータ情報がサポートされる。本実施例では、通常のＣＰの場合、１つのＰＲＢペアは４つのＥＣＣＥを有し、サポートされる最大ＨＡＲＱキャパシティは８である。従って、図５Ｂにおいて説明されるＨＡＲＱインジケータ情報により占有される一部のリソースを選択し、選択された一部のリソースを分割する方法を参照して、１つのＰＲＢペアによりサポートされるＨＡＲＱキャパシティは８であり、すなわち、サポートされる最大キャパシティに到達する。さらに、ＨＡＲＱインジケータ情報により占有されるＲＥがパンクチャリングされた後、各ＥＣＣＥに含まれるＲＥの個数は同じであり、すなわち、３３である。図５Ｂは、選択された一部のリソースが２つのＰＲＢペアの第１ＰＲＢにおけるＲＥであるという具体例を利用することによって単に説明されていることがここで留意すべきである。おそらく、２つのＰＲＢペアの第２ＰＲＢにおけるＲＥがまた選択された一部のリソースとして選択されてもよく、選択された一部のリソースをグループ化及び分割する方法は、図５Ｂに説明された方法と同様であり、ここでは再度説明されない。
【０１２２】
図５Ｃは、本発明の第５実施例におけるＳ５３０の他の具体的な実現形態を示す概略図である。図５Ｃに示されるように、ＰＲＢペアが通常のＣＰであり、選択された一部のリソースがＤＭＲＳがあるシンボルのＲＥでないとき、選択された一部のリソースは３つの部分に分割される。一部のリソースは１つのＰＲＢペアに配置され、１２個のＲＥを含んでもよい。これら１２個のＲＥは図５Ｃの全ての太線のフレームにおけるＲＥであり、ここでは、１２個のＲＥは３つの部分に分割され、各部分は４つのＲＥを含む。ＨＡＲＱインジケータ情報により占有される一部のリソースを分割する具体的な方法は、以下のように、１つのＰＲＢペアの第１ＰＲＢにおける第３シンボルに配置され、また、第１〜４サブキャリアに配置される４つのＲＥを第１グループに割当て、１つのＰＲＢペアの第１ＰＲＢにおける第３シンボルに配置され、また、第５〜８サブキャリアに配置される４つのＲＥを第２部分に割当て、１つのＰＲＢペアの第１ＰＲＢにおける第３シンボルに配置され、また、第９〜１２サブキャリアに配置される４つのＲＥを第３部分に割当ててもよい。各部分は４つのＲＥを含むため、ＨＡＲＱインジケータ情報は、各部分に含まれるＲＥの個数に従って４ビットのシーケンスにより拡散されてもよい。シーケンスにより拡散されるＨＡＲＱインジケータ情報はまず１つの部分の４つのＲＥに設定され、その後、シーケンスにより拡散されるＨＡＲＱインジケータ情報は１つのグループのその他の３つの部分のＲＥに繰り返し設定される。従って、ユーザのＨＡＲＱインジケータ情報のパワーゲインは、１２倍、すなわち、１０．８ｄＢに達する可能性がある。さらに、合計で８個の拡散されるシーケンスが利用されるため、合計で８個のＨＡＲＱインジケータ情報がサポートされる。本実施例では、通常のＣＰの場合、１つのＰＲＢペアは４つのＥＣＣＥを有し、サポートされる最大ＨＡＲＱキャパシティは８である。従って、図５Ｃにおいて説明されるＨＡＲＱインジケータ情報により占有される一部のリソースを選択し、選択された一部のリソースを分割する方法を参照して、１つのＰＲＢペアによりサポートされるＨＡＲＱキャパシティは８であり、すなわち、サポートされる最大キャパシティに到達する。さらに、ＨＡＲＱインジケータ情報により占有されるＲＥがパンクチャリングされた後、各ＥＣＣＥに含まれるＲＥの個数は同じであり、すなわち、３３である。図５Ｃは、選択された一部のリソースが２つのＰＲＢペアの第１ＰＲＢにおけるＲＥであるという具体例を利用することによって単に説明されていることがここで留意すべきである。おそらく、２つのＰＲＢペアの第２ＰＲＢにおけるＲＥがまた選択された一部のリソースとして選択されてもよく、選択された一部のリソースをグループ化及び分割する方法は、図５Ｃに説明された方法と同様であり、ここでは再度説明されない。
【０１２３】
図５Ｄは、本発明の第５実施例におけるＳ５３０の更なる他の具体的な実現形態を示す概略図である。図５Ｄに示されるように、ＰＲＢペアが通常のＣＰであり、選択された一部のリソースがＤＭＲＳがあるシンボルのＲＥでないとき、選択された一部のリソースは３つの部分に分割される。ＰＲＢペアが拡張されたＣＰであり、選択された一部のリソースがＤＭＲＳがあるシンボルのＲＥでない場合、一部のリソースは１つのＰＲＢペアに配置され、１２個のＲＥを含んでもよい。これら１２個のＲＥは図５Ｄの全ての太線のフレームにおけるＲＥであり、ここで、１２個のＲＥは６つの部分に分割され、各部分は２個のＲＥを含む。ＨＡＲＱインジケータ情報により占有される一部のリソースを分割する具体的な方法は、以下のように、１つのＰＲＢペアの第１ＰＲＢにおける第３シンボルに配置され、また、第１，２サブキャリアに配置される２つのＲＥを第１部分に割当て、１つのＰＲＢペアの第１ＰＲＢにおける第３シンボルに配置され、また、第３，４サブキャリアに配置される２つのＲＥを第２部分に割当て、１つのＰＲＢペアの第１ＰＲＢにおける第３シンボルに配置され、また、第５，６サブキャリアに配置される２つのＲＥを第３部分に割当て、１つのＰＲＢペアの第１ＰＲＢにおける第３シンボルに配置され、また、第７，８サブキャリアに配置される２つのＲＥを第４グループに割当て、１つのＰＲＢペアの第１ＰＲＢにおける第３シンボルに配置され、また、第９，１０サブキャリアに配置される２つのＲＥを第５部分に割当て、１つのＰＲＢペアの第１ＰＲＢにおける第３シンボルに配置され、また、第１１，１２サブキャリアに配置される２つのＲＥを第６部分に割当ててもよい。各部分は２つのＲＥを含むため、ＨＡＲＱインジケータ情報は、各部分に含まれるＲＥの個数に従って２ビットのシーケンスにより拡散されてもよい。シーケンスにより拡散されるＨＡＲＱインジケータ情報はまず１つの部分の２つのＲＥに設定され、その後、シーケンスにより拡散されるＨＡＲＱインジケータ情報は１つのグループのその他の３つの部分のＲＥに繰り返し設定される。従って、ユーザのＨＡＲＱインジケータ情報のパワーゲインは、１２倍、すなわち、１０．８ｄＢに達する可能性がある。さらに、合計で４個の拡散されるシーケンスが利用されるため、合計で４個のＨＡＲＱインジケータ情報がサポートされる。本実施例では、拡張されたＣＰの場合、１つのＰＲＢペアは２つのＥＣＣＥを有し、サポートされる最大ＨＡＲＱキャパシティは４である。従って、図５Ｄにおいて説明されるＨＡＲＱインジケータ情報により占有される一部のリソースを選択し、選択された一部のリソースを分割する方法を参照して、１つのＰＲＢペアによりサポートされるＨＡＲＱキャパシティは４であり、すなわち、サポートされる最大キャパシティに到達する。さらに、ＨＡＲＱインジケータ情報により占有されるＲＥがパンクチャリングされた後、各ＥＣＣＥに含まれるＲＥの個数は同じであり、すなわち、３３である。図５Ｄは、選択された一部のリソースが２つのＰＲＢペアの第１ＰＲＢにおけるＲＥであるという具体例を利用することによって単に説明されていることがここで留意すべきである。おそらく、２つのＰＲＢペアの第２ＰＲＢにおけるＲＥがまた選択された一部のリソースとして選択されてもよく、選択された一部のリソースをグループ化及び分割する方法は、図５Ｄに説明された方法と同様であり、ここでは再度説明されない。
【０１２４】
図６は、本発明の第６実施例によるＨＡＲＱインジケータ情報を送信する方法のフローチャートである。当該方法はＵＥにより実行される。図６に示されるように、当該方法は以下のステップを有する。
【０１２５】
Ｓ６１０．ＥＰＤＣＣＨリソースを受信する。
【０１２６】
Ｓ６２０．ＥＰＤＣＣＨリソースから一部のリソースを選択する。
【０１２７】
Ｓ６３０．一部のリソースからＨＡＲＱインジケータ情報を抽出する。
【０１２８】
本実施例によるＨＡＲＱインジケータ情報を送信する方法によると、一部のリソースがＥＰＤＣＣＨリソースから選択され、ＨＡＲＱインジケータ情報が一部のリソースから抽出される。従って、ＵＥは、抽出したＨＡＲＱインジケータ情報を検出することによって、アップリンクにより送信されるデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
【０１２９】
図７は、本発明の第７実施例によるＨＡＲＱインジケータ情報を送信する方法のフローチャートである。本実施例は更に、上述した第６実施例に基づき細分される。図７に示されるように、本実施例による方法は以下のステップを有してもよい。
【０１３０】
Ｓ７１０．ＥＰＤＣＣＨリソースを受信する。
【０１３１】
Ｓ７２０．ＥＰＤＣＣＨリソースから少なくとも２つの部分を選択し、ここで、各部分に含まれるリソースエレメント（ＲＥ）の個数は等しく、かつ２以上である。
【０１３２】
Ｓ７２０において、少なくとも２つの部分が、ＥＰＤＣＣＨリソースの少なくとも２つの物理リソースブロックＰＲＢペアから選択され、ここで、少なくとも２つの部分は２つのＰＲＢペアにおいてＲＥを有する。少なくとも２つの部分を選択する具体的な方法について、上述した第４実施例における図４Ｂ、４Ｃ、４Ｄ及び４Ｅにおいて示される分割方法が参照されてもよい。図４Ｂ、４Ｃ、４Ｄ及び４Ｅに示される分割方法に対応する方法は、少なくとも２つのＰＲＢペアから少なくとも２つの部分を選択するのに利用される。あるいは、少なくとも２つの部分は、ＥＰＤＣＣＨリソースの１つのＰＲＢペアから選択される。ＥＰＤＣＣＨリソースの１つのＰＲＢペアから少なくとも２つの部分を選択する具体的な方法について、上述した第５実施例における図５Ｂ、５Ｃ及び５Ｄにおいて示される分割方法が参照されてもよい。図５Ｂ、５Ｃ及び５Ｄに示される分割方法に対応する方法は、ＥＰＤＣＣＨリソースの１つのＰＲＢペアから少なくとも２つの部分を選択するのに利用される。
【０１３３】
Ｓ７３０．一部のリソースからＨＡＲＱインジケータ情報を抽出する。
【０１３４】
Ｓ７３０は、少なくとも２つの具体的な実現方式を含む。第１の具体的な実現方式は、以下のように、少なくとも２つの部分における各部分に対応するＤＭＲＳに従ってチャネル推定を実行し、各部分に関するソフト情報を取得するために各部分に対してソフト変調を実行し、各部分に関するソフト情報を合成した後、ＨＡＲＱインジケータ情報を取得するために各部分に含まれるＲＥの個数に従ってシーケンス逆拡散を実行することである。第２の具体的な実現方式は、以下のように、少なくとも２つの部分における各部分に対応するＤＭＲＳに従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、ＨＡＲＱインジケータ情報を取得するために各部分に関するシーケンス逆拡散されたソフト情報を合成することである。
【０１３５】
例えば、基地局がＨＡＲＱインジケータチャネルを搬送するため、ＥＰＣＤＤＨリソースにより占有される８個のＲＥを選択する場合、これら８個のＲＥは２つの部分に分割され、これら２つの部分はＤＭＲＳ  Ａ及びＤＭＲＳ  Ｂに別々に関連付けされる。説明の簡単化のため、２つの部分は部分Ａ及び部分Ｂと名付けられる。各部分は４つのＲＥを含む。説明の簡単化のため、部分Ａにおける４つのＲＥは、ＲＥ｛Ａ，１｝，ＲＥ｛Ａ，２｝，ＲＥ｛Ａ，３｝及びＲＥ｛Ａ，４｝と名付けられ、部分Ｂにおける４つのＲＥは、ＲＥ｛Ｂ，１｝，ＲＥ｛Ｂ，２｝，ＲＥ｛Ｂ，３｝及びＲＥ｛Ｂ，４｝と名付けられる。
【０１３６】
１つのＨＡＲＱインジケータ情報が変調された後、４ビットのシーケンスによる拡散が実行され、すなわち、シーケンス［＋，＋，＋，＋］が拡散に利用され、拡散されるシーケンスは各部分の４つのＲＥに配置される。
【０１３７】
ＵＥは、これら２つの部分、すなわち、合計で８個のＲＥの信号を受信する。受信信号はｙ｛Ａ，１｝，ｙ｛Ａ，２｝，ｙ｛Ａ，３｝，ｙ｛Ａ，４｝，ｙ｛Ｂ，１｝，ｙ｛Ｂ，２｝，ｙ｛Ｂ，３｝及びｙ｛Ｂ，４｝であると仮定される。部分Ａにおける４つのＲＥについて、ＵＥは、ＤＭＲＳ  Ａを利用してチャネル推定を実行し、部分Ａにおける４つのＲＥのチャネル推定値ｈ｛Ａ，１｝，ｈ｛Ａ，２｝，ｈ｛Ａ，３｝及びｈ｛Ａ，４｝を取得し、部分Ｂにおける４つのＲＥについて、ＵＥは、ＤＭＲＳ  Ｂを利用してチャネル推定を実行し、部分Ｂにおける４つのＲＥのチャネル推定値ｈ｛Ｂ，１｝，ｈ｛Ｂ，２｝，ｈ｛Ｂ，３｝及びｈ｛Ｂ，４｝を取得する。ＵＥは、チャネル推定値に従って８個のＲＥを別々に復調し、復調信号ｙ｛Ａ，１｝＝ｙ｛Ａ，１｝／ｈ｛Ａ，１｝，ｙ｛Ａ，２｝＝ｙ｛Ａ，２｝／ｈ｛Ａ，２｝，ｙ｛Ａ，３｝＝ｙ｛Ａ，３｝／ｈ｛Ａ，３｝，ｙ｛Ａ，４｝＝ｙ｛Ａ，４｝／ｈ｛Ａ，４｝，ｙ｛Ｂ，１｝＝ｙ｛Ｂ，１｝／ｈ｛Ｂ，１｝，ｙ｛Ｂ，２｝＝ｙ｛Ｂ，２｝／ｈ｛Ｂ，２｝，ｙ｛Ｂ，３｝＝ｙ｛Ｂ，３｝／ｈ｛Ｂ，３｝及びｙ｛Ｂ，４｝＝ｙ｛Ｂ，４｝／ｈ｛Ｂ，４｝を取得する。
【０１３８】
Ｓ７３０の第１の具体的な実現形態の方式について、すなわち、逆拡散前に合成が実行される方式について、ＵＥはまず１対１の対応に基づき２つの部分におけるＲＥを合成し、信号ｘ｛１｝＝ｙ｛Ａ，１｝＋ｙ｛Ｂ，１｝，ｘ｛２｝＝ｙ｛Ａ，２｝＋ｙ｛Ｂ，２｝，ｘ｛３｝＝ｙ｛Ａ，３｝＋ｙ｛Ｂ，３｝及びｘ｛４｝＝ｙ｛Ａ，４｝＋ｙ｛Ｂ，４｝を取得し、その後、シーケンス［＋，＋，＋，＋］を利用して、合成された信号に対して逆拡散を実行してＨＡＲＱインジケータ情報の受信値ｘ＝ｘ｛１｝＋ｘ｛２｝＋ｘ｛３｝＋ｘ｛４｝を取得する。
【０１３９】
Ｓ７３０の第２の具体的な実現方式について、すなわち、合成前に逆拡散が実行される方式について、ＵＥはまずシーケンス［＋，＋，＋，＋］を利用して、２つの部分におけるＲＥに対して逆拡散を実行して、信号ｘ｛Ａ｝＝ｙ｛Ａ，１｝＋ｙ｛Ａ，２｝＋ｙ｛Ａ，３｝＋ｙ｛Ａ，４｝及びｘ｛Ｂ｝＝ｙ｛Ｂ，１｝＋ｙ｛Ｂ，２｝＋ｙ｛Ｂ，３｝＋ｙ｛Ｂ，４｝を取得し、その後、逆拡散された信号を合成して、ＨＡＲＱの受信値ｘ＝ｘ｛Ａ｝＋ｘ｛Ｂ｝を取得する。
【０１４０】
本実施例によるＨＡＲＱインジケータ情報を送信する方法によると、少なくとも２つの部分がＥＰＤＣＣＨリソースから選択され、少なくとも２つの部分からの合成についてソフト情報が取得され、各部分に含まれるＲＥの個数に従ってシーケンス逆拡散が実行され、ＨＡＲＱインジケータ情報を取得する。従って、ＵＥは、取得したＨＡＲＱインジケータ情報を検出することによって、アップリンクにより送信されたデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
【０１４１】
さらに、上述した第７実施例では、少なくとも２つの部分の各部分に対応する復調リファレンス情報（ＤＭＲＳ）に従ってチャネル推定を実行する前に、当該方法はさらに、各部分が属するＰＲＢペアから各部分に対応するＤＭＲＳを抽出することを含んでもよい。
【０１４２】
図８は、本発明の第８実施例によるＨＡＲＱインジケータ情報を送信する装置の概略図である。図８に示されるように、当該装置は、
ＥＰＤＣＣＨリソースをＵＥに割り当てるよう構成されるＥＰＤＣＣＨリソース割当モジュール８１０と、
ＥＰＤＣＣＨリソースから一部のリソースを選択するよう構成される部分リソース選択モジュール８２０と、
一部のリソースを介しＵＥにＨＡＲＱインジケータ情報を送信するよう構成されるインジケータ情報送信モジュール８３０と、
を有する。
【０１４３】
さらに、部分リソース選択モジュール８２０は、ＥＰＤＣＣＨリソースの物理リソースブロック（ＰＲＢ）ペアから一部のリソースを選択するよう具体的に構成される。
【０１４４】
さらに、インジケータ情報送信モジュール８３０は、
一部のリソースを少なくとも２つの部分に分割するよう構成される第１部分分割ユニットであって、各部分に含まれるリソースエレメント（ＲＥ）の個数は等しく、かつ２以上である、第１部分分割ユニットと、
各部分に含まれるＲＥの個数に従って対応するビットシーケンスによってＨＡＲＱインジケータ情報を拡散するよう構成される第１シーケンス拡散ユニットと、
各部分におけるＲＥにシーケンスにより拡散されるＨＡＲＱインジケータ情報を繰り返し設定するよう構成される第１情報繰り返し設定ユニットと、
一部のリソースをＵＥに送信するよう構成される第１部分リソース送信ユニットと、
を含む。
【０１４５】
さらに、部分リソース選択モジュール８２０は、ＥＰＤＣＣＨリソースのＰＲＢペアから一部のリソースを選択するよう具体的に構成され、これにより、ＰＲＢペアの各エンハンスト制御チャネルエレメント（ＥＣＣＥ）は、パンクチャリング後に同数のＲＥを有することになる。
【０１４６】
インジケータ情報送信モジュールは、
一部のリソースをパンクチャリングし、
パンクチャリングされた一部のリソースを介しＵＥにＨＡＲＱインジケータ情報を送信するよう具体的に構成される。
【０１４７】
さらに、第１部分分割ユニットは、要求されるＨＡＲＱチャネルキャパシティに従って一部のリソースを少なくとも２つの部分に分割するよう具体的に構成され、ここで、各部分に含まれるＲＥの個数に対応する拡散されるシーケンスの個数は、要求されるＨＡＲＱチャネルキャパシティに一致する。
【０１４８】
任意的には、部分リソース選択モジュール８２０は、ＥＰＤＣＣＨリソースの少なくとも２つの物理リソースブロック（ＰＲＢ）ペアから一部のリソースを選択するよう具体的に構成される。
【０１４９】
さらに、インジケータ情報送信モジュール８３０は、
一部のリソースを少なくとも１つのグループにグループ化し、各グループを少なくとも２つの部分に分割するよう構成される第２部分分割ユニットであって、各グループは少なくとも２つのＰＲＢペアにおいてＲＥを有し、各部分に含まれるＲＥの個数に対応する拡散されるシーケンスの個数とグループの個数との積は、少なくとも２つのＰＲＢペアに含まれるＥＣＣＥの個数と２とを乗算することによって取得される値に等しい、第２部分分割ユニットと、
各部分に含まれるＲＥの個数に従って対応するビットシーケンスによってＨＡＲＱインジケータ情報を拡散するよう構成される第２シーケンス拡散ユニットと、
１つのグループの各部分におけるＲＥにシーケンスにより拡散されるＨＡＲＱインジケータ情報を繰り返し設定するよう構成される第２情報繰り返し設定ユニットと、
一部のリソースをＵＥに送信するよう構成される第２部分リソース送信ユニットと、
を含む。
【０１５０】
さらに、当該装置は、
第２部分リソース送信ユニットが一部のリソースをＵＥに送信する前に、１つのグループにおける部分について、部分があるＰＲＢペアにおけるＤＭＲＳ信号を、部分に設定されるシーケンスにより拡散されるＨＡＲＱインジケータ情報と関連付けるよう構成される第１インジケータ情報関連付けモジュールを更に有する。
【０１５１】
さらに、各ＰＲＢペアは、１つのグループにおいて少なくとも２つの部分を有する。第１インジケータ情報関連付けモジュールは、１つのＰＲＢペアの１つのグループにおける少なくとも２つの部分について、ＰＲＢペアにおける少なくとも２つのＤＭＲＳを、少なくとも２つの部分に設定されるシーケンスにより拡散されるＨＡＲＱインジケータ情報と関連付けるよう具体的に構成される。
【０１５２】
任意的には、少なくとも２つのＰＲＢペアは、ＵＥに対して設定される１つのＥＰＤＣＣＨ  ＰＲＢセットに配置されるか、又はＵＥに対して設定される異なるＥＰＤＣＣＨ  ＰＲＢセットに配置される。
【０１５３】
任意的には、部分リソース選択モジュール８２０は、ＥＰＤＣＣＨリソースの１つのＰＲＢペアから一部のリソースを選択するよう具体的に構成される。
【０１５４】
さらに、インジケータ情報送信モジュール８３０は、
一部のリソースを少なくとも１つの部分に分割するよう構成される第３部分分割ユニットであって、各部分に含まれるＲＥの個数は等しく、かつ２以上であり、各部分に含まれるＲＥの個数に対応する拡散されるシーケンスの個数は、１つのＰＲＢペアに含まれるＥＣＣＥの個数と２とを乗算することによって取得される値に等しい、第３部分分割ユニットと、
各部分に含まれるＲＥの個数に従って対応するビットシーケンスによってＨＡＲＱインジケータ情報を拡散するよう構成される第３シーケンス拡散ユニットと、
各部分におけるＲＥにシーケンスにより拡散されるＨＡＲＱインジケータ情報を繰り返し設定するよう構成される第３情報繰り返し設定ユニットと、
一部のリソースをＵＥに送信するよう構成される第３部分リソース送信ユニットと、
を含む。
【０１５５】
さらに、当該装置は、
第３部分リソース送信ユニットが一部のリソースをＵＥに送信する前に、１つのＰＲＢペアにおける１つのＤＭＲＳをシーケンスにより拡散されるＨＡＲＱインジケータ情報と関連付けるよう構成される第２インジケータ情報関連付けモジュールを更に有する。
【０１５６】
本実施例によるＨＡＲＱインジケータ情報を送信する装置によると、一部のリソースはＥＰＤＣＣＨリソースから選択され、ＨＡＲＱインジケータ情報はＵＥに送信される。従って、基地局は、ＥＰＤＣＣＨリソースから選択された一部のリソースを介しＵＥにＨＡＲＱインジケータ情報を送信可能であり、ＵＥは、基地局により送信されるＨＡＲＱインジケータ情報を検出することによって、アップリンクにより送信されたデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
【０１５７】
図９は、本発明の第９実施例によるＨＡＲＱインジケータ情報を送信する装置の概略図である。図９に示されるように、当該装置は、
ＥＰＤＣＣＨリソースを受信するよう構成されるＥＰＤＣＣＨリソース受信モジュール９１０と、
ＥＰＤＣＣＨリソースから一部のリソースを選択するよう構成される部分リソース選択モジュール９２０と、
一部のリソースからＨＡＲＱインジケータ情報を抽出するよう構成されるインジケータ情報抽出モジュール９３０と、
を有する。
【０１５８】
さらに、部分リソース選択モジュール９２０は、ＥＰＤＣＣＨリソースから少なくとも２つの部分を選択するよう具体的に構成され、各部分に含まれるリソースエレメント（ＲＥ）の個数は等しく、かつ２以上であり、
インジケータ情報抽出モジュール９３０は、
少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するソフト情報を合成した後、ＨＡＲＱインジケータ情報を取得するために各部分に含まれるＲＥの個数に従ってシーケンス逆拡散を実行するか、又は、
少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、ＨＡＲＱインジケータ情報を取得するために各部分に関するシーケンス逆拡散されたソフト情報を合成するよう具体的に構成される。
【０１５９】
さらに、当該装置は、
インジケータ情報抽出モジュールが少なくとも２つの部分における各部分に対応する復調リファレンス信号（ＤＭＲＳ）に従ってチャネル推定を実行する前に、各部分が属するＰＲＢペアから各部分に対応するＤＭＲＳを抽出するよう構成されるＤＭＲＳ抽出モジュールを更に有する。
【０１６０】
任意的には、部分リソース選択モジュール９２０は、ＥＰＤＣＣＨリソースの少なくとも２つの物理リソースブロック（ＰＲＢ）ペアから少なくとも２つの部分を選択するよう具体的に構成され、少なくとも２つの部分は、２つのＰＲＢペアにおいてＲＥを有する。
【０１６１】
任意的には、部分リソース選択モジュール９２０は、ＥＰＤＣＣＨリソースの１つのＰＲＢペアから少なくとも２つの部分を選択するよう具体的に構成される。
【０１６２】
本実施例によるＨＡＲＱインジケータ情報を送信する装置によると、一部のリソースはＥＰＤＣＣＨリソースから選択され、ＨＡＲＱインジケータ情報は一部のリソースから抽出される。従って、ＵＥは、抽出したＨＡＲＱインジケータ情報を検出することによって、アップリンクにより送信されるデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
【０１６３】
図１０は、本発明の第１０実施例による基地局１０００の概略的な構成図である。図１０に示されるように、基地局１０００は、
ＥＰＤＣＣＨリソースをＵＥに割り当て、ＥＰＤＣＣＨリソースから一部のリソースを選択するよう構成されるプロセッサ１０１０と、
一部のリソースを介しＵＥにＨＡＲＱインジケータ情報を送信するよう構成される送信機１０２０と、
を有する。
【０１６４】
さらに、プロセッサ１０１０は、ＥＰＤＣＣＨリソースをＵＥに割当て、ＥＰＤＣＣＨリソースのＰＲＢペアから一部のリソースを選択するよう具体的に構成される。
【０１６５】
さらに、送信機１０２０は、
一部のリソースを少なくとも２つの部分に分割し、ここで、各部分に含まれるリソースエレメント（ＲＥ）の個数は等しく、かつ２以上であり、
各部分に含まれるＲＥの個数に従って対応するビットシーケンスによってＨＡＲＱインジケータ情報を拡散し、
各部分におけるＲＥにシーケンスにより拡散されるＨＡＲＱインジケータ情報を繰り返し設定し、
一部のリソースをＵＥに送信するよう構成される。
【０１６６】
さらに、ＥＰＤＣＣＨリソースから一部のリソースを選択することは、
ＥＰＤＣＣＨリソースのＰＲＢペアから一部のリソースを選択することを含み、これにより、ＰＲＢペアの各ＥＣＣＥは、パンクチャリング後に同数のＲＥを有することになる。
【０１６７】
送信機１０２０は、一部のリソースをパンクチャリングし、パンクチャリングされた一部のリソースを介しＵＥにＨＡＲＱインジケータ情報を送信するよう具体的に構成される。
【０１６８】
さらに、一部のリソースを少なくとも２つの部分に分割することは、
要求されるＨＡＲＱチャネルキャパシティに従って一部のリソースを少なくとも２つの部分に分割することを含み、ここで、各部分に含まれるＲＥの個数に対応する拡散されるシーケンスの個数は、要求されるＨＡＲＱチャネルキャパシティに一致する。
【０１６９】
任意的には、ＥＰＤＣＣＨリソースから一部のリソースを選択することは、
ＥＰＤＣＣＨリソースの少なくとも２つの物理リソースブロック（ＰＲＢ）ペアから一部のリソースを選択することを含む。
【０１７０】
一部のリソースを少なくとも２つの部分に分割することは、
一部のリソースを少なくとも１つのグループにグループ化し、各グループを少なくとも２つの部分に分割することを含み、ここで、各グループは２つのＰＲＢペアにおいてＲＥを有し、各部分に含まれるＲＥの個数に対応する拡散されるシーケンスの個数とグループの個数との積は、少なくとも２つのＰＲＢペアに含まれるＥＣＣＥの個数と２とを乗算することによって取得される値に等しい。
【０１７１】
各部分におけるＲＥにシーケンスにより拡散されるＨＡＲＱインジケータ情報を繰り返し設定することを含む。
【０１７２】
さらに、送信機１０２０は、一部のリソースがＵＥに送信される前に、１つのグループにおける部分について、部分があるＰＲＢペアにおけるＤＭＲＳ信号を、部分に設定されるシーケンスにより拡散されるＨＡＲＱインジケータ情報と関連付けるよう更に構成される。
【０１７３】
さらに、各ＰＲＢペアは、１つのグループにおいて少なくとも２つの部分を有する。部分があるＰＲＢペアにおけるＤＭＲＳ信号を、部分に設定されるシーケンスにより拡散されるＨＡＲＱインジケータ情報と関連付けることは、
１つのＰＲＢペアの１つのグループにおける少なくとも２つの部分について、ＰＲＢペアにおける少なくとも２つのＤＭＲＳを、少なくとも２つの部分に設定されるシーケンスにより拡散されるＨＡＲＱインジケータ情報と関連付けることを含む。
【０１７４】
任意的には、少なくとも２つのＰＲＢペアは、ＵＥに対して設定される１つのＥＰＤＣＣＨ  ＰＲＢセットに配置されるか、又はＵＥに対して設定される異なるＥＰＤＣＣＨ  ＰＲＢセットに配置される。
【０１７５】
任意的には、ＥＰＤＣＣＨリソースから一部のリソースを選択することは、ＥＰＤＣＣＨリソースの１つのＰＲＢペアから一部のリソースを選択することを含む。
【０１７６】
さらに、送信機１０２０は、
一部のリソースを少なくとも１つの部分に分割し、ここで、各部分に含まれるＲＥの個数は等しく、かつ２以上であり、各部分に含まれるＲＥの個数に対応する拡散されるシーケンスの個数は、１つのＰＲＢペアに含まれるＥＣＣＥの個数と２とを乗算することによって取得される値に等しく、
各部分に含まれるＲＥの個数に従って対応するビットシーケンスによってＨＡＲＱインジケータ情報を拡散し、
各部分におけるＲＥにシーケンスにより拡散されるＨＡＲＱインジケータ情報を繰り返し設定し、
一部のリソースをＵＥに送信するよう具体的に構成される。
【０１７７】
さらに、送信機１０２０は、
一部のリソースがＵＥに送信される前に、１つのＰＲＢペアにおける１つのＤＭＲＳをシーケンスにより拡散されるＨＡＲＱインジケータ情報と関連付けるよう更に構成される。
【０１７８】
本実施例による基地局によると、一部のリソースはＥＰＤＣＣＨリソースから選択され、ＨＡＲＱインジケータ情報は一部のリソースから抽出される。従って、ＵＥは、抽出したＨＡＲＱインジケータ情報を検出することによって、アップリンクにより送信されたデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
【０１７９】
図１１は、本発明の第１１実施例によるＵＥの概略的な構成図である。図１１に示されるように、ＵＥ１１００は、
ＥＰＤＣＣＨリソースを受信するよう構成される受信機１１１０と、
ＥＰＤＣＣＨリソースから一部のリソースを選択し、一部のリソースからＨＡＲＱインジケータ情報を抽出するよう構成されるプロセッサ１１２０と、
を有する。
【０１８０】
さらに、ＥＰＤＣＣＨリソースから一部のリソースを選択することは、ＥＰＤＣＣＨリソースから少なくとも２つの部分を選択することを含み、ここで、各部分に含まれるリソースエレメント（ＲＥ）の個数は等しく、かつ２以上である。
【０１８１】
一部のリソースからＨＡＲＱインジケータ情報を抽出することは、
少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するソフト情報を合成した後、ＨＡＲＱインジケータ情報を取得するために各部分に含まれるＲＥの個数に従ってシーケンス逆拡散を実行するか、又は、
少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、ＨＡＲＱインジケータ情報を取得するために各部分に関するシーケンス逆拡散されたソフト情報を合成することを含む。
【０１８２】
さらに、プロセッサ１１２０は、
少なくとも２つの部分における各部分に対応する復調リファレンス信号（ＤＭＲＳ）に従ってチャネル推定が実行される前に、各部分が属するＰＲＢペアから各部分に対応するＤＭＲＳを抽出するよう更に構成される。
【０１８３】
任意的には、ＥＰＤＣＣＨリソースから少なくとも２つの部分を選択することは、ＥＰＤＣＣＨリソースの少なくとも２つの物理リソースブロック（ＰＲＢ）ペアから少なくとも２つの部分を選択することを含み、ここで、少なくとも２つの部分は、２つのＰＲＢペアにおいてＲＥを有する。
【０１８４】
任意的には、ＥＰＤＣＣＨリソースから少なくとも２つの部分を選択することは、ＥＰＤＣＣＨリソースの１つのＰＲＢペアから少なくとも２つの部分を選択することを含む。
【０１８５】
本実施例によるＵＥによると、一部のリソースはＥＰＤＣＣＨリソースから選択され、ＨＡＲＱインジケータ情報は一部のリソースから抽出される。従って、ＵＥは、抽出したＨＡＲＱインジケータ情報を検出することによって、アップリンクにより送信されるデータが基地局により正しく復号化されているか判断し、これにより、新たなデータを送信するか、又は以前のデータを再送するか判断可能であり、以前のデータを再送するようＵＥを制御するため新たなスケジューリングシグナリングを基地局が再送することを必要とせず、これにより、システムの制御チャネルのシグナリングロードを低減することができる。
【０１８６】
当業者は、方法の実施例のステップの全て又は一部が関連するハードウェアに指示するプログラムによって実現されてもよいことを理解してもよい。当該プログラムは、コンピュータ可読記憶媒体に格納されてもよい。プログラムが実行されると、方法の実施例のステップが実行される。上述した記憶媒体は、ＲＯＭ、ＲＡＭ、磁気ディスク又は光ディスクなどのプログラムコードを格納可能な何れかの媒体を含む。
【０１８７】
最後に、上述した実施例は本発明を限定するのでなく本発明の技術的手段を説明することを単に意図していることに留意すべきである。本発明が上述した実施例を参照して詳細に説明されたが、当業者は、本発明の実施例の技術的手段の範囲から逸脱することなく、依然として上述した実施例において説明される技術的手段に対する改良を行ってもよいか、又はそれらの一部の又は全ての技術的特徴に対して等価な置換を行ってもよいということを理解すべきである。
【図１】
2016506127.tif 000003
【図２】
2016506127.tif 000004
【図３】
2016506127.tif 000005
【図４Ａ】
2016506127.tif 000006
【図４Ｂ】
2016506127.tif 000007
【図４Ｃ】
2016506127.tif 000008
【図４Ｄ】
2016506127.tif 000009
【図４Ｅ】
2016506127.tif 000010
【図５Ａ】
2016506127.tif 000011
【図５Ｂ】
2016506127.tif 000012
【図５Ｃ】
2016506127.tif 000013
【図５Ｄ】
2016506127.tif 000014
【図６】
2016506127.tif 000015
【図７】
2016506127.tif 000016
【図８】
2016506127.tif 000017
【図９】
2016506127.tif 000018
【図１０】
2016506127.tif 000019
【図１１】
2016506127.tif 000020
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）インジケータ情報を送信する方法であって、
エンハンスト物理ダウンリンク制御チャネル（ＥＰＤＣＣＨ）リソースをユーザ装置（ＵＥ）に割り当てるステップと、
前記ＥＰＤＣＣＨリソースから一部のリソースを選択するステップと、
前記一部のリソースを介し前記ＵＥにＨＡＲＱインジケータ情報を送信するステップと、
を有する方法。
【請求項２】
前記ＥＰＤＣＣＨリソースから一部のリソースを選択するステップは、
前記ＥＰＤＣＣＨリソースの物理リソースブロック（ＰＲＢ）ペアから前記一部のリソースを選択するステップを含む、請求項１記載の方法。
【請求項３】
前記一部のリソースを介し前記ＵＥにＨＡＲＱインジケータ情報を送信するステップは、
前記一部のリソースを少なくとも２つの部分に分割するステップであって、各部分に含まれるリソースエレメント（ＲＥ）の個数は等しく、かつ２以上である、分割するステップと、
各部分に含まれるＲＥの個数に従って対応するビットシーケンスによって前記ＨＡＲＱインジケータ情報を拡散するステップと、
各部分における前記ＲＥに前記シーケンスにより拡散されるＨＡＲＱインジケータ情報を繰り返し設定するステップと、
前記一部のリソースを前記ＵＥに送信するステップと、
を含み、
前記一部のリソースを少なくとも２つの部分に分割するステップは、
要求されるＨＡＲＱチャネルキャパシティに従って、前記一部のリソースを前記少なくとも２つの部分に分割するステップであって、各部分に含まれるＲＥの個数に対応する拡散されるシーケンスの個数は前記要求されるＨＡＲＱチャネルキャパシティに一致する、分割するステップを含む、請求項１又は２記載の方法。
【請求項４】
前記ＥＰＤＣＣＨリソースから一部のリソースを選択するステップは、
前記ＥＰＤＣＣＨリソースの少なくとも２つのＰＲＢペアから前記一部のリソースを選択するステップを含む、請求項１記載の方法。
【請求項５】
前記一部のリソースを介し前記ＵＥにＨＡＲＱインジケータ情報を送信するステップは、
前記一部のリソースを少なくとも１つのグループにグループ化し、各グループを少なくとも２つの部分に分割するステップであって、各グループは前記少なくとも２つのＰＲＢペアにおいてＲＥを含み、各部分に含まれるＲＥの個数は等しく、かつ２以上であり、各部分に含まれるＲＥの個数に対応する拡散されるシーケンスの個数とグループの個数との積は、前記少なくとも２つのＰＲＢペアに含まれるＥＣＣＥの個数と２とを乗算することによって取得される値に等しい、分割するステップと、
各部分に含まれるＲＥの個数に従って対応するビットシーケンスによって前記ＨＡＲＱインジケータ情報を拡散するステップと、
１つのグループの各部分における前記ＲＥに前記シーケンスにより拡散されるＨＡＲＱインジケータ情報を繰り返し設定するステップと、
前記一部のリソースを前記ＵＥに送信するステップと、
を含む、請求項４記載の方法。
【請求項６】
前記ＥＰＤＣＣＨリソースから一部のリソースを選択するステップは、
前記ＥＰＤＣＣＨリソースの１つのＰＲＢペアから前記一部のリソースを選択するステップを含み、
前記一部のリソースに含まれるＲＥの個数に対応する拡散されるシーケンスの個数は、前記１つのＰＲＢペアに含まれるＥＣＣＥの個数と２とを乗算することによって取得される値に等しく、
前記一部のリソースを介し前記ＵＥにＨＡＲＱインジケータ情報を送信するステップは、
前記一部のリソースを少なくとも１つの部分に分割するステップであって、各部分に含まれるＲＥの個数は等しく、かつ２以上であり、各部分に含まれるＲＥの個数に対応する拡散されるシーケンスの個数は、前記１つのＰＲＢペアに含まれるＥＣＣＥの個数と２とを乗算することによって取得される値に等しい、分割するステップと、
各部分に含まれるＲＥの個数に従って対応するビットシーケンスによって前記ＨＡＲＱインジケータ情報を拡散するステップと、
各部分における前記ＲＥに前記シーケンスにより拡散されるＨＡＲＱインジケータ情報を繰り返し設定するステップと、
前記一部のリソースを前記ＵＥに送信するステップと、
を含む、請求項１記載の方法。
【請求項７】
ハイブリッド自動再送要求（ＨＡＲＱ）インジケータ情報を送信する方法であって、
エンハンスト物理ダウンリンク制御チャネル（ＥＰＤＣＣＨ）リソースを受信するステップと、
前記ＥＰＤＣＣＨリソースから一部のリソースを選択するステップと、
前記一部のリソースからＨＡＲＱインジケータ情報を抽出するステップと、
を有する方法。
【請求項８】
前記ＥＰＤＣＣＨリソースから一部のリソースを選択するステップは、前記ＥＰＤＣＣＨリソースから少なくとも２つの部分を選択するステップであって、各部分に含まれるリソースエレメント（ＲＥ）の個数は等しく、かつ２以上である、選択するステップを含み、
前記一部のリソースからＨＡＲＱインジケータ情報を抽出するステップは、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するソフト情報を合成した後、前記ＨＡＲＱインジケータ情報を取得するために各部分に含まれるＲＥの個数に従ってシーケンス逆拡散を実行するステップ、又は、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、前記ＨＡＲＱインジケータ情報を取得するために各部分に関する前記シーケンス逆拡散されたソフト情報を合成するステップを含む、請求項７記載の方法。
【請求項９】
前記ＥＰＤＣＣＨリソースから少なくとも２つの部分を選択するステップは、
前記ＥＰＤＣＣＨリソースの少なくとも２つの物理リソースブロック（ＰＲＢ）ペアから前記少なくとも２つの部分を選択するステップであって、前記少なくとも２つの部分は前記２つのＰＲＢペアにおいてＲＥを有する、選択するステップを含む、請求項７又は８記載の方法。
【請求項１０】
前記ＥＰＤＣＣＨリソースから少なくとも２つの部分を選択するステップは、
前記ＥＰＤＣＣＨリソースの１つのＰＲＢペアから前記少なくとも２つの部分を選択するステップを含む、請求項７又は８記載の方法。
【請求項１１】
プロセッサと送信機とを有する基地局であって、
前記プロセッサは、エンハンスト物理ダウンリンク制御チャネル（ＥＰＤＣＣＨ）リソースをユーザ装置（ＵＥ）に割り当て、前記ＥＰＤＣＣＨリソースから一部のリソースを選択するよう構成され、
前記送信機は、前記一部のリソースを介し前記ＵＥにハイブリッド自動再送要求（ＨＡＲＱ）インジケータ情報を送信するよう構成される基地局。
【請求項１２】
前記プロセッサは、前記ＥＰＤＣＣＨリソースを前記ＵＥに割当て、前記ＥＰＤＣＣＨリソースのＰＲＢペアから前記一部のリソースを選択するよう構成される、請求項１１記載の基地局。
【請求項１３】
前記送信機は、
前記一部のリソースを少なくとも２つの部分に分割し、各部分に含まれるリソースエレメント（ＲＥ）の個数は等しく、かつ２以上であり、
各部分に含まれるＲＥの個数に従って対応するビットシーケンスによって前記ＨＡＲＱインジケータ情報を拡散し、
各部分における前記ＲＥに前記シーケンスにより拡散されるＨＡＲＱインジケータ情報を繰り返し設定し、
前記一部のリソースを前記ＵＥに送信するよう構成される、請求項１１又は１２記載の基地局。
【請求項１４】
前記送信機は、
前記一部のリソースを少なくとも１つのグループにグループ化し、各部分に含まれるＲＥの個数は２以上であり、各部分に含まれるＲＥの個数に対応する拡散されるシーケンスの個数は、前記１つのＰＲＢペアに含まれるＥＣＣＥの個数と２とを乗算することによって取得される値に等しく、
各部分に含まれるＲＥの個数に従って対応するビットシーケンスによって前記ＨＡＲＱインジケータ情報を拡散し、
各部分における前記ＲＥに前記シーケンスにより拡散されるＨＡＲＱインジケータ情報を繰り返し設定し、
前記一部のリソースを前記ＵＥに送信するよう構成される、請求項１１又は１２記載の基地局。
【請求項１５】
受信機とプロセッサとを有するユーザ装置（ＵＥ）であって、
前記受信機は、エンハンスト物理ダウンリンク制御チャネル（ＥＰＤＣＣＨ）リソースを受信するよう構成され、
前記プロセッサは、前記ＥＰＤＣＣＨリソースから一部のリソースを選択し、前記一部のリソースからハイブリッド自動再送要求（ＨＡＲＱ）インジケータ情報を抽出するよう構成されるユーザ装置。
【請求項１６】
前記プロセッサが前記ＥＰＤＣＣＨリソースから一部のリソースを選択し、前記一部のリソースからＨＡＲＱインジケータ情報を抽出するよう構成されることは、
前記プロセッサが、前記ＥＰＤＣＣＨリソースから少なくとも２つの部分を選択するよう構成され、各部分に含まれるリソースエレメント（ＲＥ）の個数は等しく、かつ２以上であり、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関する前記ソフト情報を合成した後、前記ＨＡＲＱインジケータ情報を取得するために各部分に含まれるＲＥの個数に従ってシーケンス逆拡散を実行するか、又は、
前記少なくとも２つの部分における各部分に対応する復調リファレンス信号（ＤＭＲＳ）に従ってチャネル推定を実行し、各部分に関するソフト情報を取得するために各部分に対してソフト復調を実行し、各部分に関するシーケンス逆拡散されたソフト情報を取得するために各部分に含まれるＲＥの個数に従って各部分に対してシーケンス逆拡散を実行し、前記ＨＡＲＱインジケータ情報を取得するために各部分に関する前記シーケンス逆拡散されたソフト情報を合成するよう構成される、請求項１５記載のユーザ装置。
【請求項１７】
前記プロセッサは、前記ＥＰＤＣＣＨリソースの少なくとも２つの物理リソースブロック（ＰＲＢ）ペアから前記少なくとも２つの部分を選択するよう構成され、
前記少なくとも２つの部分は、前記２つのＰＲＢペアにおいてＲＥを有する、請求項１５又は１６記載のユーザ装置。
【請求項１８】
前記プロセッサは、前記ＥＰＤＣＣＨリソースの１つのＰＲＢペアから前記少なくとも２つの部分を選択するよう構成される、請求項１５又は１６記載のユーザ装置。
【手続補正２】
【補正対象書類名】明細書
【補正対象項目名】０００４
【補正方法】変更
【補正の内容】
【０００４】
ＬＴＥシステムの進化によって、リリース１２のＬＴＥシステムでは、ＣＲＳはもはやそれの固有の欠点のため復調には利用されない。リリース１２のＬＴＥシステムでは、リリース８〜１１のＬＴＥシステムにおける物理ＨＡＲＱインジケータチャネルの代わりに、ＵＥに固有の復調リファレンス信号（Ｄｅｍｏｄｕｌａｔｉｏｎ  Ｒｅｆｅｒｅｎｃｅ  Ｓｉｇｎａｌ、略してＤＭＲＳ）が、システムにおいて送信されるダウンリンクデータの復調用に利用される。従って、基地局は、アップリンクにおいてＵＥにより送信されたデータが正しいかＨＡＲＱインジケータチャネルを介し通知することはできず、ＵＥは、アップリンクにおいて送信されたデータが基地局によって正しく復号化されているか確実には判断することはできない。基地局が受信したアップリンクデータを正しく復号化することができないとき、基地局は、当該基地局が正しく復号化できないデータをＵＥに再送するよう指示するために新たなスケジューリングシグナリングを送信する必要があり、システムの制御チャネルのシグナリングロードを増加させる。
【手続補正３】
【補正対象書類名】明細書
【補正対象項目名】００２４
【補正方法】変更
【補正の内容】
【００２４】
第３の態様の第１の可能な実現方式では、前記部分リソース選択モジュールは、前記ＥＰＤＣＣＨリソースの物理リソースブロック（ＰＲＢ）ペアから前記一部のリソースを選択するよう具体的に構成される。
【手続補正４】
【補正対象書類名】明細書
【補正対象項目名】００２６
【補正方法】変更
【補正の内容】
【００２６】
第３の態様の第２の可能な実現方式によると、第３の可能な実現方式では、前記第１部分分割ユニットは、要求されるＨＡＲＱチャネルキャパシティに従って前記一部のリソースを前記少なくとも２つの部分に分割するよう具体的に構成され、各部分に含まれるＲＥの個数に対応する拡散されるシーケンスの個数は、前記要求されるＨＡＲＱチャネルキャパシティに一致する。
【手続補正５】
【補正対象書類名】明細書
【補正対象項目名】００４１
【補正方法】変更
【補正の内容】
【００４１】
本発明の実施例における技術的手段をより明確に説明するため、以下において、実施例を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【手続補正６】
【補正対象書類名】明細書
【補正対象項目名】００８０
【補正方法】変更
【補正の内容】
【００８０】
例えば、一部のリソースが４つの部分に分割され、各部分が２つのＲＥを含む場合、ＨＡＲＱインジケータ情報は２ビットのシーケンスにより拡散され、すなわち、オリジナルの１ビットＨＡＲＱインジケータ情報は２ビットとして拡散される。このとき、拡散される２ビットのＨＡＲＱインジケータ情報は４つの部分におけるＲＥに繰り返し設定され、すなわち、２ビットのＨＡＲＱインジケータ情報は各部分における２つのＲＥに設定される。これに対応して、ＨＡＲＱインジケータ情報のパワーゲインは８倍になり、９ｄＢに等しくなる。
【手続補正７】
【補正対象書類名】明細書
【補正対象項目名】００８６
【補正方法】変更
【補正の内容】
【００８６】
Ｓ３２０．ＰＲＢペアにおける各エンハンスト制御チャネルエレメント（Ｅｎｈａｎｃｅｄ  Ｃｏｎｔｒｏｌ  Ｃｈａｎｎｅｌ  Ｅｌｅｍｅｎｔ、略してＥＣＣＥ）がパンクチャリング後に同数のＲＥを含むように、ＥＤＰＣＣＨリソースのＰＲＢペアから一部のリソースを選択する。
【手続補正８】
【補正対象書類名】明細書
【補正対象項目名】００８７
【補正方法】変更
【補正の内容】
【００８７】
ＰＲＢペアが通常のサイクリックプリフィックス（Ｃｙｃｌｉｃ  Ｐｒｅｆｉｘ、略してＣＰ）であるとき、ＰＲＢペアは、周波数ドメインにおける１２個の連続するサブキャリアと、時間ドメインにおける１４個のＯＦＤＭシンボルとにより形成される。周波数ドメインにおける１２個の連続するサブキャリアと時間ドメインにおける最初の７個のＯＦＤＭシンボルとが１つのＰＲＢとしてみなされてもよく、周波数ドメインにおける１２個の連続するサブキャリアと時間ドメインにおける最後のＯＦＤＭシンボルとがもう１つのＰＲＢとしてみなされてもよい。ＰＲＢペアが拡張されたＣＰであるとき、ＰＲＢペアは、周波数ドメインにおける１２個の連続するサブキャリアと時間ドメインにおける１２個のＯＦＤＭシンボルとにより形成される。周波数ドメインにおける１２個の連続するサブキャリアと時間ドメインにおける最初の６個の連続するサブキャリアとが１つのＰＲＢとしてみなされてもよく、周波数ドメインにおける１２個の連続するサブキャリアと時間ドメインにおける最後の６個のＯＦＤＭシンボルとがもう１つのＰＲＢとしてみなされてもよい。
【手続補正９】
【補正対象書類名】明細書
【補正対象項目名】０１０８
【補正方法】変更
【補正の内容】
【０１０８】
さらに、ＥＰＤＣＣＨリソースの少なくとも２つのＰＲＢペアから一部のリソースを選択し、一部のリソースを少なくとも１つのグループにグループ化し、各グループを少なくとも２つの部分に分割する方法は、図４Ｂ、４Ｃ、４Ｄ及び４Ｅをそれぞれ参照して説明されてもよい。図４Ｂは、本発明の第４実施例におけるＳ４３０の具体的な実現形態を示す概略図である。図４Ｂに示されるように、ＰＲＢペアが通常のＣＰであり、選択された一部のリソースがＤＭＲＳがあるシンボルのＲＥであるとき、選択された一部のリソースは２つのグループにグループ化され、各グループは４つの部分に分割される。一部のリソースは２つのＰＲＢペアに配置され、２４個のＲＥを含むものであってもよい。これら２４個のＲＥは図４Ｂにおける全ての太線のフレームにおけるＲＥであり、ここで、それの１２個のＲＥが１つのグループを形成し、他の１２個のＲＥが他のグループを形成する。各グループに含まれる１２個のＲＥは４つの部分に分割され、各部分は３つのＲＥを含む。ＨＡＲＱインジケータ情報により占有される一部のリソースをグループ化して分割する具体的な方法は、以下のように、各ＰＲＢペアの第１ＰＲＢにおける第６シンボルに配置され、また、第３〜５サブキャリアに配置される３つのＲＥと、第１ＰＲＢにおける第７シンボルに配置され、また、第８〜１０サブキャリアに配置される３つのＲＥとを第１グループに割当て、各ＰＲＢペアの第１ＰＲＢにおける第６シンボルに配置され、また、第８〜１０サブキャリアに配置される３つのＲＥと、第１ＰＲＢにおける第７シンボルに配置され、また、第３〜５サブキャリアに配置される３つのＲＥとを第２グループに割当て、１つのＰＲＢペアの第１ＰＲＢにおける第６シンボルに配置され、また、第３〜５サブキャリアに配置される３つのＲＥを第１グループの第１部分に割当て、１つのＰＲＢペアの第１ＰＲＢにおける第７シンボルに配置され、また、第８〜１０サブキャリアに配置される３つのＲＥを第１グループの第２部分に割当て、他方のＰＲＢペアの第１ＰＲＢにおける第６シンボルに配置され、また、第３〜５サブキャリアに配置される３つのＲＥを第１グループの第３部分に割当て、他方のＰＲＢペアの第１ＰＲＢにおける第７シンボルに配置され、また、第８〜１０サブキャリアに配置される３つのＲＥを第１グループの第４部分に割当て、１つのＰＲＢペアの第１ＰＲＢにおける第６シンボルに配置され、また、第８〜１０サブキャリアに配置される３つのＲＥを第２グループの第１部分に割当て、１つのＰＲＢペアの第１ＰＲＢにおける第７シンボルに配置され、また、第３〜５サブキャリアに配置される３つのＲＥを第２グループの第２部分に割当て、他方のＰＲＢペアの第１ＰＲＢにおける第６シンボルに配置され、また、第８〜１０サブキャリアに配置される３つのＲＥを第２グループの第３部分に割当て、他方のＰＲＢペアの第１ＰＲＢにおける第７シンボルに配置され、また、第３〜５サブキャリアに配置される３つのＲＥを第２グループの第４部分に割当ててもよい。各部分は３つのＲＥを含むため、ＨＡＲＱインジケータ情報は、各部分に含まれるＲＥの個数に従って、３ビットシーケンスにより拡散されてもよい。シーケンスにより拡散されるＨＡＲＱインジケータ情報はまず、グループの１つの部分の３つのＲＥに設定され、その後、シーケンスにより拡散されるＨＡＲＱインジケータ情報は、当該グループのその他の３つの部分のＲＥに繰り返し設定される。従って、ユーザのＨＡＲＱインジケータ情報のパワーゲインは、１２倍、すなわち、１０．８ｄＢに達してもよい。さらに、各グループは合計で６つの拡散されるシーケンスを利用するため、各グループは、合計で６個のＨＡＲＱインジケータ情報をサポートする。本実施例では、合計で２つのグループがあり、従って、これら２つのグループは合計で１２個のＨＡＲＱインジケータ情報をサポートする。２つのＰＲＢペアは合計で８個のＥＣＣＥを有し、これら８個のＥＣＣＥは最大で８個のスケジューリングシグナリングをサポートする。各スケジューリングシグナリングはアップリンクスケジューリングに利用され、各スケジューリングシグナリングが２つのトランスポートブロック（Ｔｒａｎｓｐｏｒｔ  Ｂｌｏｃｋ、略してＴＢ）をスケジューリングする場合、合計で１６個のＨＡＲＱインジケータ情報がこの場合には必要とされ、すなわち、２つのＰＲＢペアによりサポートされる最大ＨＡＲＱキャパシティはこの場合には１６となる。従って、図４Ｂに示されるＨＡＲＱインジケータ情報により占有される一部のリソースを選択し、選択された一部のリソースをグループ化及び分割する方法を参照して、２つのＰＲＢペアによりサポートされるＨＡＲＱキャパシティは１２となり、これは、サポートされる最大キャパシティの１２／１６である。さらに、ＨＡＲＱインジケータ情報により占有されるＲＥがパンクチャリングされた後、各ＥＣＣＥに含まれるＲＥの個数は同じであり、すなわち、３３である。図４Ｂは、選択された一部のリソースが２つのＰＲＢペアの第１ＰＲＢにおけるＲＥである具体例を利用することによって単に説明されていることに留意すべきである。おそらく、２つのＰＲＢペアの第２ＰＲＢにおけるＲＥもまた選択される一部のリソースとして選択されてもよく、選択された一部のリソースをグループ化及び分割する方法は、図４Ｂにおいて説明された方法と同様であり、ここでは再度説明されない。
【手続補正１０】
【補正対象書類名】明細書
【補正対象項目名】０１３５
【補正方法】変更
【補正の内容】
【０１３５】
例えば、基地局がＨＡＲＱインジケータチャネルを搬送するため、ＥＰＤＣＣＨリソースにより占有される８個のＲＥを選択する場合、これら８個のＲＥは２つの部分に分割され、これら２つの部分はＤＭＲＳ  Ａ及びＤＭＲＳ  Ｂに別々に関連付けされる。説明の簡単化のため、２つの部分は部分Ａ及び部分Ｂと名付けられる。各部分は４つのＲＥを含む。説明の簡単化のため、部分Ａにおける４つのＲＥは、ＲＥ｛Ａ，１｝，ＲＥ｛Ａ，２｝，ＲＥ｛Ａ，３｝及びＲＥ｛Ａ，４｝と名付けられ、部分Ｂにおける４つのＲＥは、ＲＥ｛Ｂ，１｝，ＲＥ｛Ｂ，２｝，ＲＥ｛Ｂ，３｝及びＲＥ｛Ｂ，４｝と名付けられる。
【手続補正１１】
【補正対象書類名】明細書
【補正対象項目名】０１４１
【補正方法】変更
【補正の内容】
【０１４１】
さらに、上述した第７実施例では、少なくとも２つの部分の各部分に対応する復調リファレンス信号（ＤＭＲＳ）に従ってチャネル推定を実行する前に、当該方法はさらに、各部分が属するＰＲＢペアから各部分に対応するＤＭＲＳを抽出することを含んでもよい。
【国際調査報告】
2016506127.tif 000021
2016506127.tif 000022
2016506127.tif 000023
2016506127.tif 000024